(57)【要約】      （修正有）【課題】同一床面内にカーペットの領域と木質の床材ユニットの領域とが混在し、領域間に隙間、段差等の不具合のない床構造体及びこれを構築する床材を提供する。【解決手段】床材Ｐ５は、床材本体２と、その裏面側に固着される緩衝材層６と、緩衝材層の裏面に設けられた粘着剤層と、粘着剤層の裏面に設けられた剥離シートとを有し、床材本体の厚みｈ１が５．０〜６．５ｍｍで、長辺部の長さｈ２が９９８〜１０００ｍｍ（又は４９８〜５００ｍｍ）で短辺部ｈ３の長さが、数式にて（４９８／ｓ）ｍｍ≦短辺部の長さ≦（５００／ｓ）ｍｍ（ｓは２〜１０の自然数）として表わされる長さで、緩衝材層の厚みが０．８〜１．２ｍｍとなっている。床構造体は、複数枚の床材からなる床材ユニットと、一辺の長さが約５００ｍｍの正方形状であるカーペットとから構成する。【選択図】図８
0003188158.tif 000002
【実用新案登録請求の範囲】
【請求項１】
床材であって、
無垢木板材から形成された平面視長方形状の床材本体と、床材本体の裏面側に接着剤層を介して固着されている緩衝材層と、緩衝材層の裏面に設けられた粘着剤層と、粘着剤層の裏面に設けられた剥離シートと、を有し、
床材本体は、裏面とは反対側の面である表面側における周縁に外方に向かって低くなるように傾斜した面取り部が形成され、面取り部の下端が床材本体の側端面である縦面に連続しており、床材本体の厚みが５．０〜６．５ｍｍであり、長辺部の長さが９９８〜１０００ｍｍであり短辺部の長さが、数式にて（４９８／ｓ）ｍｍ≦短辺部の長さ≦（５００／ｓ）ｍｍ（ｓは２〜１０の自然数）として表わされる長さであり、
緩衝材層の厚みが０．８〜１．２ｍｍであることを特徴とする床材。
【請求項２】
床材であって、
無垢木板材から形成された平面視長方形状の床材本体と、床材本体の裏面側に接着剤層を介して固着されている緩衝材層と、緩衝材層の裏面に設けられた粘着剤層と、粘着剤層の裏面に設けられた剥離シートと、を有し、
床材本体は、裏面とは反対側の面である表面側における周縁に外方に向かって低くなるように傾斜した面取り部が形成され、面取り部の下端が床材本体の側端面である縦面に連続しており、床材本体の厚みが５．０〜６．５ｍｍであり、長辺部の長さが４９８〜５００ｍｍであり、短辺部の長さが、数式にて（４９８／ｓ）ｍｍ≦短辺部の長さ≦（５００／ｓ）ｍｍ（ｓは２〜１０の自然数）として表わされる長さであり、
緩衝材層の厚みが０．８〜１．２ｍｍであることを特徴とする床材。
【請求項３】
床材であって、
無垢木板材から形成された床材本体と、床材本体の裏面側に接着剤層を介して固着されている緩衝材層と、緩衝材層の裏面に設けられた粘着剤層と、粘着剤層の裏面に設けられた剥離シートと、を有し、
床材本体は、
平面視長方形状で長辺部と短辺部とが直角をなす板体部と、
板体部の一方の短辺部及び一方の長辺部の端面に形成された雌実部と、
他方の短辺部及び他方の長辺部の端面に形成された雄実部と、を有し、
前記雌実部は他の床材の雄実部と係合し、前記雄実部は他の床材の雌実部と係合し、
板体部は、厚みが５．０〜６．５ｍｍであり、長辺部の長さが９９８〜１０００ｍｍであり、短辺部の長さが、数式にて（４９８／ｓ）ｍｍ≦ 短辺部の長さ≦（５００／ｓ）ｍｍ（ｓは２〜１０の自然数）として表わされる長さであり、
緩衝材層の厚みが０．８〜１．２ｍｍであることを特徴とする床材。
【請求項４】
床材であって、
無垢木板材から形成された床材本体と、床材本体の裏面側に接着剤層を介して固着されている緩衝材層と、緩衝材層の裏面に設けられた粘着剤層と、粘着剤層の裏面に設けられた剥離シートと、を有し、
床材本体は、
平面視長方形状で長辺部と短辺部とが直角をなす板体部と、
板体部の一方の短辺部及び一方の長辺部の端面に形成された雌実部と、
他方の長辺部の端面に形成された雄実部と、を有し、
他方の短辺部の端面には雄実部が形成されておらず、
前記雌実部は他の床材の雄実部と係合し、前記雄実部は他の床材の雌実部と係合し、
板体部は、厚みが５．０〜６．５ｍｍであり、長辺部の長さが９９８〜１０００ｍｍであり、短辺部の長さが、数式にて（４９８／ｓ）ｍｍ≦ 短辺部の長さ≦（５００／ｓ）ｍｍ（ｓは２〜１０の自然数）として表わされる長さであり、
緩衝材層の厚みが０．８〜１．２ｍｍであることを特徴とする床材。
【請求項５】
床材であって、
無垢木板材から形成された床材本体と、床材本体の裏面側に接着剤層を介して固着されている緩衝材層と、緩衝材層の裏面に設けられた粘着剤層と、粘着剤層の裏面に設けられた剥離シートと、を有し、
床材本体は、
平面視長方形状で長辺部と短辺部とが直角をなす板体部と、
板体部の一方の短辺部及び一方の長辺部の端面に形成された雌実部と、
他方の短辺部の端面に形成された雄実部と、を有し、
他方の長辺部の端面には雄実部が形成されておらず、
前記雌実部は他の床材の雄実部と係合し、前記雄実部は他の床材の雌実部と係合し、
板体部は、厚みが５．０〜６．５ｍｍであり、長辺部の長さが９９８〜１０００ｍｍであり、短辺部の長さが、数式にて（４９８／ｓ）ｍｍ≦ 短辺部の長さ≦（５００／ｓ）ｍｍ（ｓは２〜１０の自然数）として表わされる長さであり、
緩衝材層の厚みが０．８〜１．２ｍｍであることを特徴とする床材。
【請求項６】
床材であって、
無垢木板材から形成された床材本体と、床材本体の裏面側に接着剤層を介して固着されている緩衝材層と、緩衝材層の裏面に設けられた粘着剤層と、粘着剤層の裏面に設けられた剥離シートと、を有し、
床材本体は、
平面視長方形状で長辺部と短辺部とが直角をなす板体部と、
板体部の一方の短辺部及び一方の長辺部の端面に形成された雌実部とを有し、
他方の短辺部及び他方の長辺部の端面には雄実部が形成されておらず、
前記雌実部は他の床材の雄実部と係合し、
板体部は、厚みが５．０〜６．５ｍｍであり、長辺部の長さが９９８〜１０００ｍｍであり、短辺部の長さが、数式にて（４９８／ｓ）ｍｍ≦ 短辺部の長さ≦（５００／ｓ）ｍｍ（ｓは２〜１０の自然数）として表わされる長さであり、
緩衝材層の厚みが０．８〜１．２ｍｍであることを特徴とする床材。
【請求項７】
床材であって、
無垢木板材から形成された床材本体と、床材本体の裏面側に接着剤層を介して固着されている緩衝材層と、緩衝材層の裏面に設けられた粘着剤層と、粘着剤層の裏面に設けられた剥離シートと、を有し、
床材本体は、
平面視長方形状で長辺部と短辺部とが直角をなす板体部と、
板体部の一方の短辺部及び一方の長辺部の端面に形成された雌実部と、
他方の短辺部及び他方の長辺部の端面に形成された雄実部と、を有し、
前記雌実部は他の床材の雄実部と係合し、前記雄実部は他の床材の雌実部と係合し、
板体部は、厚みが５．０〜６．５ｍｍであり、長辺部の長さが４９８〜５００ｍｍであり、短辺部の長さが、数式にて（４９８／ｓ）ｍｍ≦短辺部の長さ≦（５００／ｓ）ｍｍ（ｓは２〜１０の自然数）として表わされる長さであり、
緩衝材層の厚みが０．８〜１．２ｍｍであることを特徴とする床材。
【請求項８】
床材であって、
無垢木板材から形成された床材本体と、床材本体の裏面側に接着剤層を介して固着されている緩衝材層と、緩衝材層の裏面に設けられた粘着剤層と、粘着剤層の裏面に設けられた剥離シートと、を有し、
床材本体は、
平面視長方形状で長辺部と短辺部とが直角をなす板体部と、
板体部の一方の短辺部及び一方の長辺部の端面に形成された雌実部と、
他方の長辺部の端面に形成された雄実部と、を有し、
他方の短辺部の端面には雄実部が形成されておらず、
前記雌実部は他の床材の雄実部と係合し、前記雄実部は他の床材の雌実部と係合し、
板体部は、厚みが５．０〜６．５ｍｍであり、長辺部の長さが４９８〜５００ｍｍであり、短辺部の長さが、数式にて（４９８／ｓ）ｍｍ≦ 短辺部の長さ≦（５００／ｓ）ｍｍ（ｓは２〜１０の自然数）として表わされる長さであり、
緩衝材層の厚みが０．８〜１．２ｍｍであることを特徴とする床材。
【請求項９】
床材であって、
無垢木板材から形成された床材本体と、床材本体の裏面側に接着剤層を介して固着されている緩衝材層と、緩衝材層の裏面に設けられた粘着剤層と、粘着剤層の裏面に設けられた剥離シートと、を有し、
床材本体は、
平面視長方形状で長辺部と短辺部とが直角をなす板体部と、
板体部の一方の短辺部及び一方の長辺部の端面に形成された雌実部と、
他方の短辺部の端面に形成された雄実部と、を有し、
他方の長辺部の端面には雄実部が形成されておらず、
前記雌実部は他の床材の雄実部と係合し、前記雄実部は他の床材の雌実部と係合し、
板体部は、厚みが５．０〜６．５ｍｍであり、長辺部の長さが４９８〜５００ｍｍであり、短辺部の長さが、数式にて（４９８／ｓ）ｍｍ≦ 短辺部の長さ≦（５００／ｓ）ｍｍ（ｓは２〜１０の自然数）として表わされる長さであり、
緩衝材層の厚みが０．８〜１．２ｍｍであることを特徴とする床材。
【請求項１０】
床材であって、
無垢木板材から形成された床材本体と、床材本体の裏面側に接着剤層を介して固着されている緩衝材層と、緩衝材層の裏面に設けられた粘着剤層と、粘着剤層の裏面に設けられた剥離シートと、を有し、
床材本体は、
平面視長方形状で長辺部と短辺部とが直角をなす板体部と、
板体部の一方の短辺部及び一方の長辺部の端面に形成された雌実部とを有し、
他方の短辺部及び他方の長辺部の端面には雄実部が形成されておらず、
前記雌実部は他の床材の雄実部と係合し、
板体部は、厚みが５．０〜６．５ｍｍであり、長辺部の長さが４９８〜５００ｍｍであり、短辺部の長さが、数式にて（４９８／ｓ）ｍｍ≦ 短辺部の長さ≦（５００／ｓ）ｍｍ（ｓは２〜１０の自然数）として表わされる長さであり、
緩衝材層の厚みが０．８〜１．２ｍｍであることを特徴とする床材。
【請求項１１】
床材本体を形成する無垢木板材が、楢とタモとチークと樺と栗とブラックチェリーとブラックウォールナットにおけるいずれかの木材により形成されていることを特徴とする請求項１又は２又は３又は４又は５又は６又は７又は８又は９又は１０に記載の床材。
【請求項１２】
床構造体であって、
複数枚の床材が整列配置されて形成された床材ユニットで、床下地上に施設された床材ユニットと、
床下地上における床材ユニットの施設領域以外の領域に床材ユニットに隣接して施設されたタイル形状のカーペットで、厚みが約６ｍｍで、一辺の長さが約５００ｍｍの正方形状であるカーペットと、から構成され、
床材ユニットにおいては、床材の長辺部に他の床材の長辺部が隣接し、床材がその短手方向のみに整列し、各床材の短辺部が同一線上に位置揃えされており、
床材ユニットにおける全ての床材が請求項１に記載の床材又は請求項２に記載の床材により形成され、各床材が、剥離シートを剥がした状態で粘着剤層により床下地に接着されていることを特徴とする床構造体。
【請求項１３】
複数の床材ユニットが隣接して設けられ、
床材の短辺部で、床材ユニットの最外縁部となる短辺部に、他の床材の短辺部で、他の床材ユニットの最外縁部となる短辺部が隣接しているとともに、床材の長辺部で、床材ユニットの最外縁部となる長辺部と、他の床材の長辺部で、他の床材ユニットの最外縁部となる長辺部とが同一線上に位置揃えされていることを特徴とする請求項１２に記載の床構造体。
【請求項１４】
床構造体であって、
複数枚の床材が整列配置されて形成された床材ユニットで、床下地上に施設された床材ユニットと、
床下地上における床材ユニットの施設領域以外の領域に床材ユニットに隣接して施設されたタイル形状のカーペットで、厚みが約６ｍｍで、一辺の長さが約５００ｍｍの正方形状である既存のカーペットと、から構成され、
床材ユニットは、長尺の床材と、長辺部の長さが長尺の床材の約半分である短尺の床材と、が混在し、床材がその長手方向及び短手方向に整列し、短辺部が互いに隣接し合っている床材の長辺部が同一線上に位置揃えされており、床材ユニットの最外縁部となる短辺部以外の短辺部は、該短辺部を有する床材と床材の短手方向に隣接する床材の長辺部の中央において該長辺部と直角をなし、短辺部が床材ユニットの最外縁部となる床材については、長尺の床材と短尺の床材とが床材の短手方向に交互に配置されることにより、床材の短辺部で、床材ユニットの最外縁部となる短辺部が同一線上に位置揃えされ、床材の短辺部が床材ユニットの最外縁部とならない床材については、長尺の床材が配置されており、
該床材ユニットにおいて、長尺の床材が配置されるべき位置には、請求項１に記載の床材が配置され、短尺の床材が配置されるべき位置には、請求項２に記載の床材が配置され、各床材が、剥離シートを剥がした状態で粘着剤層により床下地に接着されていることを特徴とする床構造体。
【請求項１５】
床構造体であって、
複数枚の床材が整列配置されて形成された床材ユニットで、床下地上に施設された床材ユニットと、
床下地上における床材ユニットの施設領域以外の領域に床材ユニットに隣接して施設されたタイル形状のカーペットで、厚みが約６ｍｍで、一辺の長さが約５００ｍｍの正方形状であるカーペットと、から構成され、
床材ユニットにおいて、床材の長辺部に他の床材の長辺部が隣接し、床材がその短手方向のみに整列し、各床材の短辺部が同一線上に位置揃えされており、
該床材ユニットにおいて、床材の雌実部形成側とは反対側の短辺部が他の床材に隣接しないとともに雌実部形成側とは反対側の長辺部が他の床材に隣接する位置には、請求項４に記載の床材が配置され、床材の雌実部形成側とは反対側の長辺部が他の床材に隣接しないとともに雌実部形成側とは反対側の短辺部が他の床材に隣接する位置には、請求項５に記載の床材が配置され、床材の雌実部形成側とは反対側の短辺部及び雌実部形成側とは反対側の長辺部が他の床材に隣接しない位置には、請求項６に記載の床材が配置され、床材の雌実部形成側とは反対側の短辺部及び雌実部形成側とは反対側の長辺部が他の床材に隣接する位置には、請求項３に記載の床材が配置され、各床材が、剥離シートを剥がした状態で粘着剤層により床下地に接着されていることを特徴とする床構造体。
【請求項１６】
床構造体であって、
複数枚の床材が整列配置されて形成された床材ユニットで、床下地上に施設された床材ユニットと、
床下地上における床材ユニットの施設領域以外の領域に床材ユニットに隣接して施設されたタイル形状のカーペットで、厚みが約６ｍｍで、一辺の長さが約５００ｍｍの正方形状であるカーペットと、から構成され、
床材ユニットにおいて、床材の長辺部に他の床材の長辺部が隣接し、床材がその短手方向のみに整列し、各床材の短辺部が同一線上に位置揃えされており、
該床材ユニットにおいて、床材の雌実部形成側とは反対側の短辺部が他の床材に隣接しないとともに雌実部形成側とは反対側の長辺部が他の床材に隣接する位置には、請求項８に記載の床材が配置され、床材の雌実部形成側とは反対側の長辺部が他の床材に隣接しないとともに雌実部形成側とは反対側の短辺部が他の床材に隣接する位置には、請求項９に記載の床材が配置され、床材の雌実部形成側とは反対側の短辺部及び雌実部形成側とは反対側の長辺部が他の床材に隣接しない位置には、請求項１０に記載の床材が配置され、床材の雌実部形成側とは反対側の短辺部及び雌実部形成側とは反対側の長辺部が他の床材に隣接する位置には、請求項７に記載の床材が配置され、各床材が、剥離シートを剥がした状態で粘着剤層により床下地に接着されていることを特徴とする床構造体。
【請求項１７】
複数の床材ユニットが隣接して設けられ、
床材の短辺部で、床材ユニットの最外縁部となる短辺部に、他の床材の短辺部で、他の床材ユニットの最外縁部となる短辺部が隣接しているとともに、床材の長辺部で、床材ユニットの最外縁部となる長辺部と、他の床材の長辺部で、他の床材ユニットの最外縁部となる長辺部とが同一線上に位置揃えされていることを特徴とする請求項１５又は１６に記載の床構造体。
【請求項１８】
床構造体であって、
複数枚の床材が整列配置されて形成された床材ユニットで、床下地上に施設された床材ユニットと、
床下地上における床材ユニットの施設領域以外の領域に床材ユニットに隣接して施設されたタイル形状のカーペットで、厚みが約６ｍｍで、一辺の長さが約５００ｍｍの正方形状であるカーペットと、から構成され、
床材ユニットは、長尺の床材と、長辺部の長さが長尺の床材の約半分である短尺の床材と、が混在し、床材がその長手方向及び短手方向に整列し、短辺部が互いに隣接し合っている床材の長辺部が同一線上に位置揃えされており、床材ユニットの最外縁部となる短辺部以外の短辺部は、該短辺部を有する床材と床材の短手方向に隣接する床材の長辺部の中央において該長辺部と直角をなし、短辺部が床材ユニットの最外縁部となる床材については、長尺の床材と短尺の床材とが床材の短手方向に交互に配置されることにより、床材の短辺部で、床材ユニットの最外縁部となる短辺部が同一線上に位置揃えされ、床材の短辺部が床材ユニットの最外縁部とならない床材については、長尺の床材が配置されており、
該床材ユニットにおいて、床材の雌実部形成側とは反対側の短辺部が他の床材に隣接しないとともに雌実部形成側とは反対側の長辺部が他の床材に隣接する位置である第１位置で、長尺の床材が配置されるべき位置には、請求項４に記載の床材が配置され、該第１位置で、短尺の床材が配置されるべき位置には、請求項８に記載の床材が配置され、
床材の雌実部形成側とは反対側の長辺部が他の床材に隣接しないとともに雌実部形成側とは反対側の短辺部が他の床材に隣接する位置である第２位置で、長尺の床材が配置されるべき位置には、請求項５に記載の床材が配置され、該第２位置で、短尺の床材が配置されるべき位置には、請求項９に記載の床材が配置され、
床材の雌実部形成側とは反対側の短辺部及び雌実部形成側とは反対側の長辺部が他の床材に隣接しない位置である第３位置で、長尺の床材が配置されるべき位置には、請求項６に記載の床材が配置され、該第３位置で、短尺の床材が配置されるべき位置には、請求項１０に記載の床材が配置され、
床材の雌実部形成側とは反対側の短辺部及び雌実部形成側とは反対側の長辺部が他の床材に隣接する位置である第４位置で、長尺の床材が配置されるべき位置には、請求項３に記載の床材が配置され、該第４位置で、短尺の床材が配置されるべき位置には、請求項７に記載の床材が配置され、
各床材が、剥離シートを剥がした状態で粘着剤層により床下地に接着されていることを特徴とする床構造体。
【請求項１９】
床材ユニットにおける最外縁部における一部の縁部が、カーペットと隣接していることを特徴とする請求項１２又は１３又は１４又は１５又は１６又は１７又は１８に記載の床構造体。
【請求項２０】
床材ユニットにおける最外縁部における全ての縁部が、カーペットと隣接していることを特徴とする請求項１２又は１３又は１４又は１５又は１６又は１７又は１８に記載の床構造体。
【考案の詳細な説明】
【技術分野】
【０００１】
本考案は、床材と、これを用いて構築される床構造体に関するものである。
【背景技術】
【０００２】
従来より、オフィス、大型のショッピングモール、空港やホテルのラウンジ等では、床材としてカーペットが用いられていることが多い。これは、カーペットが吸音性、防滑性に優れていることから、足音を低く抑えられるとともに、雨天時のスリップによる転倒事故発生の防止を図ることができるためである。
【０００３】
一方、ファッション性に重点を置く小規模な商業施設、例えば、カフェ、ブティック、スポーツジム等では、木質素材であるフローリングの採用が多く見受けられる。これは、木質素材により醸し出される自然な風合いが好まれ、またフローリングは、メンテナンスが容易で、耐久性にも優れているからである。
【０００４】
ところで、下記特許文献１に記載の床材は、床材本体と、床材本体の裏面に粘着剤を介して取り付けられた軟質のシート状部材と、シート状部材の裏面に粘着層を介して取り付けられた面状ファスナーを有し、或いは、シート状部材を省略して、床材本体の裏面に面状ファスナーを取り付け、この面状ファスナーにより、カーペット上に係止可能にしたものである（特許文献１）。
【０００５】
この特許文献１の床材を、床に敷設された既設のカーペット面全体に敷き詰めることにより、例えば、経年で汚れ傷んだカーペット面全体を隠蔽したり、オフィスの机下周辺部のみに部分的に敷き詰めることにより、椅子移動によるカーペットの損耗を防止することができる。
【先行技術文献】
【特許文献】
【０００６】
【特許文献１】特開２０１２−１６７４７２号公報
【考案の概要】
【考案が解決しようとする課題】
【０００７】
しかし、上記特許文献１に記載の床材は、カーペット上に敷き詰められるもので、床材本体の厚みは、約１ｍｍ〜約８ｍｍ、シート状部材の厚みは、約０．５ｍｍ〜約５ｍｍであり、更に面状ファスナーの厚みが加わり、全体が厚いために、部分的に敷設すると、カーペットと床材の境界に段差が生じ、机下周辺部に利用しても、椅子移動に支障があったり、他の場所での利用においても、歩行者が段差につまずき危険である等問題があり、バリアフリーデザインに対応できるものではなかった。
【０００８】
そこで、本考案は、同一床面内にカーペット領域と、木質の床材ユニットにより形成されたフローリング領域とが混在し、領域間に隙間、段差等の不具合がなく、バリアフリーとすることができる床構造体及びこれを構築する床材を提供することを目的とする。
【課題を解決するための手段】
【０００９】
本考案は上記問題点を解決するために創作されたものであって、第１には、床材（Ｐ５）であって、無垢木板材から形成された平面視長方形状の床材本体（２）と、床材本体の裏面側に接着剤層を介して固着されている緩衝材層（６）と、緩衝材層の裏面に設けられた粘着剤層（１８）と、粘着剤層の裏面に設けられた剥離シート（２０）と、を有し、床材本体は、裏面とは反対側の面である表面側における周縁に外方に向かって低くなるように傾斜した面取り部（１４）が形成され、面取り部の下端が床材本体の側端面である縦面に連続しており、床材本体の厚みが５．０〜６．５ｍｍであり、長辺部の長さが９９８〜１０００ｍｍであり短辺部の長さが、数式にて（４９８／ｓ）ｍｍ≦短辺部の長さ≦（５００／ｓ）ｍｍ（ｓは２〜１０の自然数）として表わされる長さであり、緩衝材層の厚みが０．８〜１．２ｍｍであることを特徴とする。
【００１０】
第１の構成においては、床材本体の寸法と、緩衝材層の厚みを上記範囲に設定することにより、当該構成の床材により、既存のタイル形状のカーペット２枚分にほぼ相当する体積を占める床材ユニットを形成することができて、この床材ユニットにより、同一床面内にカーペット領域と床材ユニット領域とが混在していても、領域間に隙間、段差等の不具合のない床構造体を構築することができる。また、剥離シートを剥がし粘着剤層を露出させ、粘着剤層を施設対象に当接させることにより、床材を施設対象に剥離可能に固着させることができる。
【００１１】
また、第２には、床材（Ｐ５）であって、無垢木板材から形成された平面視長方形状の床材本体（２）と、床材本体の裏面側に接着剤層を介して固着されている緩衝材層（６）と、緩衝材層の裏面に設けられた粘着剤層（１８）と、粘着剤層の裏面に設けられた剥離シート（２０）と、を有し、床材本体は、裏面とは反対側の面である表面側における周縁に外方に向かって低くなるように傾斜した面取り部が形成され、面取り部の下端が床材本体の側端面である縦面に連続しており、床材本体の厚みが５．０〜６．５ｍｍであり、長辺部の長さが４９８〜５００ｍｍであり、短辺部の長さが、数式にて（４９８／ｓ）ｍｍ≦短辺部の長さ≦（５００／ｓ）ｍｍ（ｓは２〜１０の自然数）として表わされる長さであり、緩衝材層の厚みが０．８〜１．２ｍｍであることを特徴とする。
【００１２】
第２の構成においては、床材本体の寸法と、緩衝材層の厚みを上記範囲に設定することにより、当該構成の床材により、既存のタイル形状のカーペット１枚分にほぼ相当する体積を占める床材ユニットを形成することができて、この床材ユニットにより、同一床面内にカーペット領域と床材ユニット領域とが混在していても、領域間に隙間、段差等の不具合のない床構造体を構築することができる。
【００１３】
また、第１の構成の床材と組み合わせることにより、床材が千鳥配置された床材ユニットにおいて、床材ユニットの最外縁部となる短辺部を有する床材が配置される位置では、長尺の床材である第２の構成の床材と、短尺の床材である第１の構成の床材と、を床材の短軸方向に交互に配置し、最外縁部となる短辺部を一直線状に位置揃えして、床材ユニットを既存のタイル形状のカーペット２枚分にほぼ相当する一定寸法の方形とすることができる。また、剥離シートを剥がし粘着剤層を露出させ、粘着剤層を施設対象に当接させることにより、床材を施設対象に剥離可能に固着させることができる。
【００１４】
また、第３には、床材（Ｐ１）であって、無垢木板材から形成された床材本体（２）と、床材本体の裏面側に接着剤層を介して固着されている緩衝材層（６）と、緩衝材層の裏面に設けられた粘着剤層（１８）と、粘着剤層の裏面に設けられた剥離シート（２０）と、を有し、床材本体は、平面視長方形状で長辺部と短辺部とが直角をなす板体部（８）と、板体部の一方の短辺部及び一方の長辺部の端面に形成された雌実部（１０）と、他方の短辺部及び他方の長辺部の端面に形成された雄実部（１２）と、を有し、前記雌実部は他の床材の雄実部と係合し、前記雄実部は他の床材の雌実部と係合し、板体部は、厚みが５．０〜６．５ｍｍであり、長辺部の長さが９９８〜１０００ｍｍであり、短辺部の長さが、数式にて（４９８／ｓ）ｍｍ≦ 短辺部の長さ≦（５００／ｓ）ｍｍ（ｓは２〜１０の自然数）として表わされる長さであり、緩衝材層の厚みが０．８〜１．２ｍｍであることを特徴とする。
【００１５】
第３の構成においては、板体部の寸法（厚み、短辺部の長さ、長辺部の長さ）と、緩衝材層の厚みを上記範囲に設定することと、当該構成の床材を下記の第４〜第６の構成の床材と組み合わせることにより、一定寸法の床材ユニットを形成することができ、この床材ユニットが占める体積は、厚みが約６ｍｍで、一辺の長さが約５００ｍｍの正方形状である既存のタイル形状のカーペット２枚分にほぼ相当することから、床下地上にカーペットと床材ユニットとを混在状態で施設しても、床材ユニットとカーペットが隙間なく密着するとともに、カーペットの上面と床材ユニットの上面がほぼ平面状となる床構造体を構築することができる。また、剥離シートを剥がし粘着剤層を露出させ、粘着剤層を施設対象に当接させることにより、床材を施設対象に剥離可能に固着させることができる。
【００１６】
また、第４には、床材（Ｐ２）であって、無垢木板材から形成された床材本体（２）と、床材本体の裏面側に接着剤層を介して固着されている緩衝材層（６）と、緩衝材層の裏面に設けられた粘着剤層（１８）と、粘着剤層の裏面に設けられた剥離シート（２０）と、を有し、床材本体は、平面視長方形状で長辺部と短辺部とが直角をなす板体部（８）と、板体部の一方の短辺部及び一方の長辺部の端面に形成された雌実部（１０）と、他方の長辺部の端面に形成された雄実部（１２）と、を有し、他方の短辺部の端面には雄実部が形成されておらず、前記雌実部は他の床材の雄実部と係合し、前記雄実部は他の床材の雌実部と係合し、板体部は、厚みが５．０〜６．５ｍｍであり、長辺部の長さが９９８〜１０００ｍｍであり、短辺部の長さが、数式にて（４９８／ｓ）ｍｍ≦ 短辺部の長さ≦（５００／ｓ）ｍｍ（ｓは２〜１０の自然数）として表わされる長さであり、緩衝材層の厚みが０．８〜１．２ｍｍであることを特徴とする。
【００１７】
第４の構成においては、上記第３の構成の場合と同様、板体部の寸法と、緩衝材層の厚みを一定範囲に設定することと、当該構成の床材を第３の構成の床材、第５の構成の床材、第６の構成の床材と組み合わせることにより、一定寸法の床材ユニットを形成することができて、この床材ユニットにより、同一床面内にカーペット領域と床材ユニット領域とが混在していても、隙間、段差等の不具合のない床構造体を構築することができる。また、剥離シートを剥がし粘着剤層を露出させ、粘着剤層を施設対象に当接させることにより、床材を施設対象に剥離可能に固着させることができる。
【００１８】
また、第５には、床材（Ｐ３）であって、無垢木板材から形成された床材本体（２）と、床材本体の裏面側に接着剤層を介して固着されている緩衝材層（６）と、緩衝材層の裏面に設けられた粘着剤層（１８）と、粘着剤層の裏面に設けられた剥離シート（２０）と、を有し、床材本体は、平面視長方形状で長辺部と短辺部とが直角をなす板体部（８）と、板体部の一方の短辺部及び一方の長辺部の端面に形成された雌実部（１０）と、他方の短辺部の端面に形成された雄実部（１２）と、を有し、他方の長辺部の端面には雄実部が形成されておらず、前記雌実部は他の床材の雄実部と係合し、前記雄実部は他の床材の雌実部と係合し、板体部は、厚みが５．０〜６．５ｍｍであり、長辺部の長さが９９８〜１０００ｍｍであり、短辺部の長さが、数式にて（４９８／ｓ）ｍｍ≦ 短辺部の長さ≦（５００／ｓ）ｍｍ（ｓは２〜１０の自然数）として表わされる長さであり、緩衝材層の厚みが０．８〜１．２ｍｍであることを特徴とする。
【００１９】
第５の構成においては、上記第３の構成の場合と同様、板体部の寸法と、緩衝材層の厚みを一定範囲に設定することと、当該構成の床材を第３の構成の床材、第４の構成の床材、第６の構成の床材と組み合わせることにより、一定寸法の床材ユニットを形成することができて、この床材ユニットにより、同一床面内にカーペット領域と床材ユニット領域とが混在していても、領域間に隙間、段差等の不具合のない床構造体を構築することができる。また、剥離シートを剥がし粘着剤層を露出させ、粘着剤層を施設対象に当接させることにより、床材を施設対象に剥離可能に固着させることができる。
【００２０】
また、第６には、床材（Ｐ４）であって、無垢木板材から形成された床材本体（２）と、床材本体の裏面側に接着剤層を介して固着されている緩衝材層（６）と、緩衝材層の裏面に設けられた粘着剤層（１８）と、粘着剤層の裏面に設けられた剥離シート（２０）と、を有し、床材本体は、平面視長方形状で長辺部と短辺部とが直角をなす板体部（８）と、板体部の一方の短辺部及び一方の長辺部の端面に形成された雌実部（１０）とを有し、他方の短辺部及び他方の長辺部の端面には雄実部が形成されておらず、前記雌実部は他の床材の雄実部と係合し、板体部は、厚みが５．０〜６．５ｍｍであり、長辺部の長さが９９８〜１０００ｍｍであり、短辺部の長さが、数式にて（４９８／ｓ）ｍｍ≦ 短辺部の長さ≦（５００／ｓ）ｍｍ（ｓは２〜１０の自然数）として表わされる長さであり、緩衝材層の厚みが０．８〜１．２ｍｍであることを特徴とする。
【００２１】
第６の構成においては、上記第３の構成の場合と同様、板体部の寸法と、緩衝材層の厚みを一定範囲に設定することと、当該構成の床材を第３〜第５の構成の床材と組み合わせることにより、一定寸法の床材ユニットを形成することができて、この床材ユニットにより、同一床面内にカーペット領域と床材ユニット領域とが混在していても、領域間に隙間、段差等の不具合のない床構造体を構築することができる。また、剥離シートを剥がし粘着剤層を露出させ、粘着剤層を施設対象に当接させることにより、床材を施設対象に剥離可能に固着させることができる。
【００２２】
また、第７には、床材（Ｐ１）であって、無垢木板材から形成された床材本体（２）と、床材本体の裏面側に接着剤層を介して固着されている緩衝材層（６）と、緩衝材層の裏面に設けられた粘着剤層（１８）と、粘着剤層の裏面に設けられた剥離シート（２０）と、を有し、床材本体は、平面視長方形状で長辺部と短辺部とが直角をなす板体部（８）と、板体部の一方の短辺部及び一方の長辺部の端面に形成された雌実部（１０）と、他方の短辺部及び他方の長辺部の端面に形成された雄実部（１２）と、を有し、前記雌実部は他の床材の雄実部と係合し、前記雄実部は他の床材の雌実部と係合し、板体部は、厚みが５．０〜６．５ｍｍであり、長辺部の長さが４９８〜５００ｍｍであり、短辺部の長さが、数式にて（４９８／ｓ）ｍｍ≦短辺部の長さ≦（５００／ｓ）ｍｍ（ｓは２〜１０の自然数）として表わされる長さであり、緩衝材層の厚みが０．８〜１．２ｍｍであることを特徴とする。
【００２３】
第７の構成においては、板体部の寸法と、緩衝材層の厚みを上記範囲に設定することと、当該構成の床材を第８〜第１０の構成の床材と組み合わせることにより、既存のタイル形状のカーペット１枚分にほぼ相当する体積を占める床材ユニットを形成することができて、この床材ユニットにより、同一床面内にカーペット領域と床材ユニット領域とが混在していても、領域間に隙間、段差等の不具合のない床構造体を構築することができる。
【００２４】
また、第３〜第６の構成の床材、第８〜第１０の構成の床材と組み合わせることにより、床材が千鳥配置された床材ユニットにおいて、床材ユニットの最外縁部となる短辺部を有する床材が配置される位置では、長尺の床材である第３〜第６の構成の床材と、短尺の床材である当該構成の床材及び第８〜第１０の構成の床材と、を床材の短手方向に交互に配置し、最外縁部となる短辺部を一直線状に位置揃えして、床材ユニットを既存のタイル形状のカーペット２枚分にほぼ相当する一定寸法の方形とすることができる。また、剥離シートを剥がし粘着剤層を露出させ、粘着剤層を施設対象に当接させることにより、床材を施設対象に剥離可能に固着させることができる。
【００２５】
また、第８には、床材（Ｐ２）であって、無垢木板材から形成された床材本体（２）と、床材本体の裏面側に接着剤層を介して固着されている緩衝材層（６）と、緩衝材層の裏面に設けられた粘着剤層（１８）と、粘着剤層の裏面に設けられた剥離シート（２０）と、を有し、床材本体は、平面視長方形状で長辺部と短辺部とが直角をなす板体部（８）と、板体部の一方の短辺部及び一方の長辺部の端面に形成された雌実部（１０）と、他方の長辺部の端面に形成された雄実部（１２）と、を有し、他方の短辺部の端面には雄実部が形成されておらず、前記雌実部は他の床材の雄実部と係合し、前記雄実部は他の床材の雌実部と係合し、板体部は、厚みが５．０〜６．５ｍｍであり、長辺部の長さが４９８〜５００ｍｍであり、短辺部の長さが、数式にて（４９８／ｓ）ｍｍ≦ 短辺部の長さ≦（５００／ｓ）ｍｍ（ｓは２〜１０の自然数）として表わされる長さであり、緩衝材層の厚みが０．８〜１．２ｍｍであることを特徴とする。
【００２６】
第８の構成においては、上記の第７の構成の場合と同様、板体部の寸法と、緩衝材層の厚みを一定範囲に設定することと、当該構成の床材を第７の構成の床材、第９の構成の床材、第１０の構成の床材と組み合わせることにより、一定寸法の床材ユニットを形成することができて、この床材ユニットにより、同一床面内にカーペット領域と床材ユニット領域とが混在していても、領域間に隙間、段差等の不具合のない床構造体を構築することができる。
【００２７】
また、第３〜第６の構成の床材、第７の構成の床材、第９の構成の床材、第１０の構成の床材と組み合わせることにより、床材が千鳥配置された床材ユニットにおいて、床材ユニットの最外縁部となる短辺部を有する床材が配置される位置では、長尺の床材である第３〜第６の構成の床材と、短尺の床材である当該構成の床材、第７の構成の床材、第９の構成の床材、第１０の構成の床材と、を床材の短手方向に交互に配置し、最外縁部となる短辺部を一直線状に位置揃えして、床材ユニットを既存のタイル形状のカーペット２枚分にほぼ相当する一定寸法の方形とすることができる。また、剥離シートを剥がし粘着剤層を露出させ、粘着剤層を施設対象に当接させることにより、床材を施設対象に剥離可能に固着させることができる。
【００２８】
また、第９には、床材（Ｐ３）であって、無垢木板材から形成された床材本体（２）と、床材本体の裏面側に接着剤層を介して固着されている緩衝材層（６）と、を有し、床材本体は、平面視長方形状で長辺部と短辺部とが直角をなす板体部（８）と、板体部の一方の短辺部及び一方の長辺部の端面に形成された雌実部（１０）と、他方の短辺部の端面に形成された雄実部（１２）と、を有し、他方の長辺部の端面には雄実部が形成されておらず、前記雌実部は他の床材の雄実部と係合し、前記雄実部は他の床材の雌実部と係合し、板体部は、厚みが５．０〜６．５ｍｍであり、長辺部の長さが４９８〜５００ｍｍであり、短辺部の長さが、数式にて（４９８／ｓ）ｍｍ≦ 短辺部の長さ≦（５００／ｓ）ｍｍ（ｓは２〜１０の自然数）として表わされる長さであり、緩衝材層の厚みが０．８〜１．２ｍｍであることを特徴とする。
【００２９】
第９の構成においては、上記第７の構成の場合と同様、板体部の寸法と、緩衝材層の厚みを一定範囲に設定することと、当該構成の床材を第７の構成の床材、第８の構成の床材、第１０の構成の床材と組み合わせることにより、一定寸法の床材ユニットを形成することができて、この床材ユニットにより、同一床面内にカーペット領域と床材ユニット領域とが混在していても、領域間に隙間、段差等の不具合のない床構造体を構築することができる。
【００３０】
また、第３〜第６の構成の床材、第７の構成の床材、第８の構成の床材、第１０の構成の床材と組み合わせることにより、床材が千鳥配置された床材ユニットにおいて、床材ユニットの最外縁部となる短辺部を有する床材が配置される位置では、長尺の床材である第３〜第６の構成の床材と、短尺の床材である当該構成の床材、第７の構成の床材、第８の構成の床材、第１０の構成の床材と、を床材の短手方向に交互に配置し、最外縁部となる短辺部を一直線状に位置揃えして、床材ユニットを既存のタイル形状のカーペット２枚分にほぼ相当する一定寸法の方形とすることができる。また、剥離シートを剥がし粘着剤層を露出させ、粘着剤層を施設対象に当接させることにより、床材を施設対象に剥離可能に固着させることができる。
【００３１】
また、第１０には、床材（Ｐ４）であって、無垢木板材から形成された床材本体（２）と、床材本体の裏面側に接着剤層を介して固着されている緩衝材層（６）と、緩衝材層の裏面に設けられた粘着剤層（１８）と、粘着剤層の裏面に設けられた剥離シート（２０）と、を有し、床材本体は、平面視長方形状で長辺部と短辺部とが直角をなす板体部（８）と、板体部の一方の短辺部及び一方の長辺部の端面に形成された雌実部（１０）とを有し、他方の短辺部及び他方の長辺部の端面には雄実部が形成されておらず、前記雌実部は他の床材の雄実部と係合し、板体部は、厚みが５．０〜６．５ｍｍであり、長辺部の長さが４９８〜５００ｍｍであり、短辺部の長さが、数式にて（４９８／ｓ）ｍｍ≦ 短辺部の長さ≦（５００／ｓ）ｍｍ（ｓは２〜１０の自然数）として表わされる長さであり、緩衝材層の厚みが０．８〜１．２ｍｍであることを特徴とする。
【００３２】
第１０の構成においては、上記第７の構成の場合と同様、板体部の寸法と、緩衝材層の厚みを一定範囲に設定することと、当該構成の床材を第７〜第９の構成の床材と組み合わせることにより、一定寸法の床材ユニットを形成することができて、この床材ユニットにより、同一床面内にカーペット領域と床材ユニット領域とが混在していても、領域間に隙間、段差等の不具合のない床構造体を構築することができる。
【００３３】
また、第３〜第６の構成の床材、第７〜第９の構成の床材と組み合わせることにより、床材が千鳥配置された床材ユニットにおいて、床材ユニットの最外縁部となる短辺部を有する床材が配置される位置では、長尺の床材である第３〜第６の構成の床材と、短尺の床材である当該構成の床材、第７〜第９の構成の床材と、を床材の短手方向に交互に配置し、最外縁部となる短辺部を一直線状に位置揃えして、床材ユニットを既存のタイル形状のカーペット２枚分にほぼ相当する一定寸法の方形とすることができる。また、剥離シートを剥がし粘着剤層を露出させ、粘着剤層を施設対象に当接させることにより、床材を施設対象に剥離可能に固着させることができる。
【００３４】
また、第１１には、上記第１から第１０までのいずれかの構成において、床材本体を形成する無垢木板材が、楢とタモとチークと樺と栗とブラックチェリーとブラックウォールナットにおけるいずれかの木材により形成されていることを特徴とする。
【００３５】
また、第１２には、床構造体であって、複数枚の床材が整列配置されて形成された床材ユニットで、床下地上に施設された床材ユニットと、床下地上における床材ユニットの施設領域以外の領域に床材ユニットに隣接して施設されたタイル形状のカーペットで、厚みが約６ｍｍで、一辺の長さが約５００ｍｍの正方形状であるカーペットと、から構成され、 床材ユニットにおいては、床材の長辺部に他の床材の長辺部が隣接し、床材がその短手方向のみに整列し、各床材の短辺部が同一線上に位置揃えされており、床材ユニットにおける全ての床材が第１の構成の床材又は第２の構成の床材により形成され、各床材が、剥離シートを剥がした状態で粘着剤層により床下地に接着されていることを特徴とする。
【００３６】
よって、同一床面内にカーペット領域と床材ユニット領域とが混在していても、領域間に隙間、段差等の不具合のない床構造体を構築することができる。
【００３７】
また、第１３には、第１２の構成において、複数の床材ユニットが隣接して設けられ、床材の短辺部で、床材ユニットの最外縁部となる短辺部に、他の床材の短辺部で、他の床材ユニットの最外縁部となる短辺部が隣接しているとともに、床材の長辺部で、床材ユニットの最外縁部となる長辺部と、他の床材の長辺部で、他の床材ユニットの最外縁部となる長辺部とが同一線上に位置揃えされていることを特徴とする。つまり、第１の構成の床材により形成した床材ユニットに、第１の構成の床材により形成した他の床材ユニットが隣接され、床材の短辺部で、床材ユニットの最外縁部となる短辺部に、他の床材の短辺部で、他の床材ユニットの最外縁部となる短辺部が隣接しているとともに、床材の長辺部で、床材ユニットの最外縁部となる長辺部と、他の床材の長辺部で、他の床材ユニットの最外縁部となる長辺部とが同一線上に位置揃えされているか、あるいは、第２の構成の床材により形成した床材ユニットに、第２の構成の床材により形成した他の床材ユニットが隣接され、床材の短辺部で、床材ユニットの最外縁部となる短辺部に、他の床材の短辺部で、他の床材ユニットの最外縁部となる短辺部が隣接しているとともに、床材の長辺部で、床材ユニットの最外縁部となる長辺部と、他の床材の長辺部で、他の床材ユニットの最外縁部となる長辺部とが同一線上に位置揃えされていることを特徴とする。
【００３８】
また、第１４には、床構造体であって、複数枚の床材が整列配置されて形成された床材ユニットで、床下地上に施設された床材ユニットと、床下地上における床材ユニットの施設領域以外の領域に床材ユニットに隣接して施設されたタイル形状のカーペットで、厚みが約６ｍｍで、一辺の長さが約５００ｍｍの正方形状である既存のカーペットと、から構成され、床材ユニットは、長尺の床材と、長辺部の長さが長尺の床材の約半分である短尺の床材と、が混在し、床材がその長手方向及び短手方向に整列し、短辺部が互いに隣接し合っている床材の長辺部が同一線上に位置揃えされており、床材ユニットの最外縁部となる短辺部以外の短辺部は、該短辺部を有する床材と床材の短手方向に隣接する床材の長辺部の中央において該長辺部と直角をなし、短辺部が床材ユニットの最外縁部となる床材については、長尺の床材と短尺の床材とが床材の短手方向に交互に配置されることにより、床材の短辺部で、床材ユニットの最外縁部となる短辺部が同一線上に位置揃えされ、床材の短辺部が床材ユニットの最外縁部とならない床材については、長尺の床材が配置されており、該床材ユニットにおいて、長尺の床材が配置されるべき位置には、第１の構成の床材が配置され、短尺の床材が配置されるべき位置には、第２の構成の床材が配置され、各床材が、剥離シートを剥がした状態で粘着剤層により床下地に接着されていることを特徴とする。
【００３９】
よって、同一床面内にカーペット領域と床材ユニット領域とが混在していても、領域間に隙間、段差等の不具合のない床構造体を構築することができ、また、床材を千鳥配置とすることができる。
【００４０】
また、第１５には、床構造体であって、複数枚の床材が整列配置されて形成された床材ユニットで、床下地上に施設された床材ユニットと、床下地上における床材ユニットの施設領域以外の領域に床材ユニットに隣接して施設されたタイル形状のカーペットで、厚みが約６ｍｍで、一辺の長さが約５００ｍｍの正方形状であるカーペットと、から構成され、床材ユニットにおいて、床材の長辺部に他の床材の長辺部が隣接し、床材がその短手方向のみに整列し、各床材の短辺部が同一線上に位置揃えされており、該床材ユニットにおいて、床材の雌実部形成側とは反対側の短辺部が他の床材に隣接しないとともに雌実部形成側とは反対側の長辺部が他の床材に隣接する位置には、第４の構成の床材が配置され、床材の雌実部形成側とは反対側の長辺部が他の床材に隣接しないとともに雌実部形成側とは反対側の短辺部が他の床材に隣接する位置には、第５の構成の床材が配置され、床材の雌実部形成側とは反対側の短辺部及び雌実部形成側とは反対側の長辺部が他の床材に隣接しない位置には、第６の構成の床材が配置され、床材の雌実部形成側とは反対側の短辺部及び雌実部形成側とは反対側の長辺部が他の床材に隣接する位置には、第３の構成の床材が配置され、各床材が、剥離シートを剥がした状態で粘着剤層により床下地に接着されていることを特徴とする。
【００４１】
よって、同一床面内にカーペット領域と床材ユニット領域とが混在していても、領域間に隙間、段差等の不具合のない床構造体を構築することができる。
【００４２】
また、第１６には、床構造体であって、複数枚の床材が整列配置されて形成された床材ユニットで、床下地上に施設された床材ユニットと、床下地上における床材ユニットの施設領域以外の領域に床材ユニットに隣接して施設されたタイル形状のカーペットで、厚みが約６ｍｍで、一辺の長さが約５００ｍｍの正方形状であるカーペットと、から構成され、床材ユニットにおいて、床材の長辺部に他の床材の長辺部が隣接し、床材がその短手方向のみに整列し、各床材の短辺部が同一線上に位置揃えされており、該床材ユニットにおいて、床材の雌実部形成側とは反対側の短辺部が他の床材に隣接しないとともに雌実部形成側とは反対側の長辺部が他の床材に隣接する位置には、第８の構成の床材が配置され、床材の雌実部形成側とは反対側の長辺部が他の床材に隣接しないとともに雌実部形成側とは反対側の短辺部が他の床材に隣接する位置には、第９の構成の床材が配置され、床材の雌実部形成側とは反対側の短辺部及び雌実部形成側とは反対側の長辺部が他の床材に隣接しない位置には、第１０の構成の床材が配置され、床材の雌実部形成側とは反対側の短辺部及び雌実部形成側とは反対側の長辺部が他の床材に隣接する位置には、第７の構成の床材が配置され、各床材が、剥離シートを剥がした状態で粘着剤層により床下地に接着されていることを特徴とする。
【００４３】
よって、同一床面内にカーペット領域と床材ユニット領域とが混在していても、領域間に隙間、段差等の不具合のない床構造体を構築することができる。
【００４４】
また、第１７には、第１５又は第１６の構成において、複数の床材ユニットが隣接して設けられ、床材の短辺部で、床材ユニットの最外縁部となる短辺部に、他の床材の短辺部で、他の床材ユニットの最外縁部となる短辺部が隣接しているとともに、床材の長辺部で、床材ユニットの最外縁部となる長辺部と、他の床材の長辺部で、他の床材ユニットの最外縁部となる長辺部とが同一線上に位置揃えされていることを特徴とする。つまり、第３〜第６の構成の床材により形成した床材ユニットに、第３〜第６の構成の床材により形成した他の床材ユニットが隣接され、床材の短辺部で、床材ユニットの最外縁部となる短辺部に、他の床材の短辺部で、他の床材ユニットの最外縁部となる短辺部が隣接しているとともに、床材の長辺部で、床材ユニットの最外縁部となる長辺部と、他の床材の長辺部で、他の床材ユニットの最外縁部となる長辺部とが同一線上に位置揃えされているか、あるいは、第７〜第１０の構成の床材により形成した床材ユニットに、第７〜第１０の構成の床材により形成した他の床材ユニットが隣接され、床材の短辺部で、床材ユニットの最外縁部となる短辺部に、他の床材の短辺部で、他の床材ユニットの最外縁部となる短辺部が隣接しているとともに、床材の長辺部で、床材ユニットの最外縁部となる長辺部と、他の床材の長辺部で、他の床材ユニットの最外縁部となる長辺部とが同一線上に位置揃えされていることを特徴とする。
【００４５】
また、第１８には、床構造体であって、複数枚の床材が整列配置されて形成された床材ユニットで、床下地上に施設された床材ユニットと、床下地上における床材ユニットの施設領域以外の領域に床材ユニットに隣接して施設されたタイル形状のカーペットで、厚みが約６ｍｍで、一辺の長さが約５００ｍｍの正方形状であるカーペットと、から構成され、床材ユニットは、長尺の床材と、長辺部の長さが長尺の床材の約半分である短尺の床材と、が混在し、床材がその長手方向及び短手方向に整列し、短辺部が互いに隣接し合っている床材の長辺部が同一線上に位置揃えされており、床材ユニットの最外縁部となる短辺部以外の短辺部は、該短辺部を有する床材と床材の短手方向に隣接する床材の長辺部の中央において該長辺部と直角をなし、短辺部が床材ユニットの最外縁部となる床材については、長尺の床材と短尺の床材とが床材の短手方向に交互に配置されることにより、床材の短辺部で、床材ユニットの最外縁部となる短辺部が同一線上に位置揃えされ、床材の短辺部が床材ユニットの最外縁部とならない床材については、長尺の床材が配置されており、該床材ユニットにおいて、床材の雌実部形成側とは反対側の短辺部が他の床材に隣接しないとともに雌実部形成側とは反対側の長辺部が他の床材に隣接する位置である第１位置で、長尺の床材が配置されるべき位置には、第４の構成の床材が配置され、該第１位置で、短尺の床材が配置されるべき位置には、第８の構成の床材が配置され、床材の雌実部形成側とは反対側の長辺部が他の床材に隣接しないとともに雌実部形成側とは反対側の短辺部が他の床材に隣接する位置である第２位置で、長尺の床材が配置されるべき位置には、第５の構成の床材が配置され、該第２位置で、短尺の床材が配置されるべき位置には、第９の構成の床材が配置され、床材の雌実部形成側とは反対側の短辺部及び雌実部形成側とは反対側の長辺部が他の床材に隣接しない位置である第３位置で、長尺の床材が配置されるべき位置には、第６の構成の床材が配置され、該第３位置で、短尺の床材が配置されるべき位置には、第１０の構成の床材が配置され、床材の雌実部形成側とは反対側の短辺部及び雌実部形成側とは反対側の長辺部が他の床材に隣接する位置である第４位置で、長尺の床材が配置されるべき位置には、第３の構成の床材が配置され、該第４位置で、短尺の床材が配置されるべき位置には、第７の構成の床材が配置され、各床材が、剥離シートを剥がした状態で粘着剤層により床下地に接着されていることを特徴とする。
【００４６】
よって、同一床面内にカーペット領域と床材ユニット領域とが混在していても、領域間に隙間、段差等の不具合のない床構造体を構築することができ、また、床材を千鳥配置とすることができる。
【００４７】
また、第１９には、上記第１２から第１８までのいずれかの構成において、床材ユニットにおける最外縁部における一部の縁部が、カーペットと隣接していることを特徴とする。
【００４８】
また、第２０には、上記第１２から第１８までのいずれかの構成において、床材ユニットにおける最外縁部における全ての縁部が、カーペットと隣接していることを特徴とする。
【考案の効果】
【００４９】
本考案に基づく床材及び床構造体によれば、雄実部のない床材Ｐ５により床材ユニットを形成する場合は、床材ユニットの寸法は、床材本体の寸法により決定される。
【００５０】
また、板体部と、板体部の一方の短辺部及び一方の長辺部の端面に形成された雌実部と、他方の短辺部及び他方の長辺部の端面に形成された雄実部と、を有する床材Ｐ１と、床材Ｐ１の役物であり、雄実部が長辺部側のみに形成され、短辺部側に形成されていない第１役物の床材Ｐ２と、雄実部が短辺部側のみに形成され、長辺部側に形成されていない第２役物の床材Ｐ３と、雄実部が短辺部側及び長辺部側に形成されていない第３役物の床材Ｐ４と、を整列配置することにより、床材ユニットを形成し、当該床材ユニットにおいて、床材の雌実部形成側とは反対側の短辺部が他の床材に隣接しない位置には、床材Ｐ２を配置し、床材の雌実部形成側とは反対側の長辺部が他の床材に隣接しない位置には、床材３を配置し、床材の雌実部形成側とは反対側の短辺部及び雌実部形成側とは反対側の長辺部が他の床材に隣接しない位置には、床材Ｐ４を配置し、床材の雌実部形成側とは反対側の短辺部及び雌実部形成側とは反対側の長辺部が他の床材に隣接する位置には、床材Ｐ１を配置したので、床材ユニットの最外縁部の端面から突出して係合相手の雌実部がない状態の雄実部はなく、床材ユニットの寸法は、板体部の寸法のみにより決定されることとなる。
【００５１】
そして、板体部（Ｐ１〜Ｐ４の場合）又は床材本体（Ｐ５の場合）の長辺部の長さを９９８〜１０００ｍｍとし、短辺部の長さを、数式にて（４９８／ｓ）ｍｍ≦短辺部の長さ≦（５００／ｓ）ｍｍ（ｓは２〜１０の自然数）として表わされる長さとしたので、一辺の長さが約５００ｍｍの正方形状のカーペット２枚を床下地から剥がして形成した凹部内に、複数枚の床材を整列させて形成した床材ユニットを配置するに際し、床材の長辺部側を互いに隣接させるとともに、短辺部を同一線上に位置を揃えて、上記式に代入されるｓ枚の床材をその短軸方向に整列させれば、床材ユニットが上記凹部内に不具合なく収納でき、カーペットと床材ユニット間に隙間が生じることがないとともに、カーペットの縁部を押圧してカーペットを損傷させることがない。
【００５２】
また、板体部の厚みを５．０〜６．５ｍｍとし、床材本体の裏面側に接着剤層を介して固着されている緩衝材層の厚みを０．８〜１．２ｍｍとしているので、厚みが約６ｍｍのカーペットの上面と床材ユニットの上面をほぼ平面状とすることができ、歩行に際して障害となることがなく、安全性の高い床構造体とすることができる。
【００５３】
また、床材の板体部（Ｐ１〜Ｐ４の場合）又は床材本体（Ｐ５の場合）の長辺部の長さを４９８〜５００ｍｍとしたので、カーペット１枚分に相当する正方形状の床材ユニットを形成することができる。
【図面の簡単な説明】
【００５４】
【図１】実施例１の床材を示す図であり、（ａ）は床材全体の斜視図であり、（ｂ）は当該斜視図における左端側の拡大図であり、（ｃ）は当該斜視図における右端側の拡大図である。
【図２】実施例１の床材を示す図であり、（ａ）は平面図であり、（ｂ）はＡ１−Ａ１断面図であり、（ｃ）はＡ１−Ａ１断面図における左側面側の拡大図であり、（ｄ）はＡ１−Ａ１断面図における右側面側の拡大図であり、（ｅ）はＢ１−Ｂ１断面図であり、（ｆ）はＢ１−Ｂ１断面図における背面側の拡大図であり、（ｇ）はＢ１−Ｂ１断面図における正面側の拡大図である。
【図３】実施例１の床材の要部拡大断面図である。
【図４】実施例１の床材の変形例で第１役物の床材を示す図であり、（ａ）は平面図であり、（ｂ）はＡ２−Ａ２断面図であり、（ｃ）はＡ２−Ａ２断面図における左側面側の拡大図であり、（ｄ）はＡ２−Ａ２断面図における右側面側の拡大図であり、（ｅ）はＢ２−Ｂ２断面図であり、（ｆ）はＢ２−Ｂ２断面図における背面側の拡大図であり、（ｇ）はＢ２−Ｂ２断面図における正面側の拡大図である。
【図５】実施例１の床材の変形例で第２役物の床材を示す図であり、（ａ）は平面図であり、（ｂ）はＡ３−Ａ３断面図であり、（ｃ）はＡ３−Ａ３断面図における左側面側の拡大図であり、（ｄ）はＡ３−Ａ３断面図における右側面側の拡大図であり、（ｅ）はＢ３−Ｂ３断面図であり、（ｆ）はＢ３−Ｂ３断面図における背面側の拡大図であり、（ｇ）はＢ３−Ｂ３断面図における正面側の拡大図である。
【図６】実施例１の床材の変形例で第３役物の床材を示す図であり、（ａ）は平面図であり、（ｂ）はＡ４−Ａ４断面図であり、（ｃ）はＡ４−Ａ４断面図における左側面側の拡大図であり、（ｄ）はＡ４−Ａ４断面図における右側面側の拡大図であり、（ｅ）はＢ４−Ｂ４断面図であり、（ｆ）はＢ４−Ｂ４断面図における背面側の拡大図であり、（ｇ）はＢ４−Ｂ４断面図における正面側の拡大図である。
【図７】実施例２の床材を示す図であり、（ａ）は床材全体の斜視図であり、（ｂ）は当該斜視図における左端側の拡大図であり、（ｃ）は当該斜視図における右端側の拡大図である。
【図８】実施２の床材を示す図であり、（ａ）は平面図であり、（ｂ）はＡ５−Ａ５断面図であり、（ｃ）はＡ５−Ａ５断面図における左側面側の拡大図であり、（ｄ）はＡ５−Ａ５断面図における右側面側の拡大図であり、（ｅ）はＢ５−Ｂ５断面図であり、（ｆ）はＢ５−Ｂ５断面図における背面側の拡大図であり、（ｇ）はＢ５−Ｂ５断面図における正面側の拡大図である。
【図９】実施例３の床材の要部拡大断面図である。
【図１０】実施例３の床材の裏面側に設けられた剥離シートが半分程剥がされ、粘着剤層が露出した状態を示す図である。
【図１１】実施例１の床構造体を示す図である。
【図１２】図１１のＣ−Ｃ断面要部拡大図である。
【図１３】実施例２の床構造体を示す図である。
【図１４】実施例３の床構造体を示す図である。
【考案を実施するための形態】
【００５５】
本考案においては、同一床面内にカーペット領域と、木質の床材ユニットにより形成されたフローリング領域とが混在し、領域間に隙間、段差等の不具合がなく、バリアフリーとすることができる床構造体Ｂ及びこれを構築する床材を提供するという目的を以下のようにして実現した。
【００５６】
本考案の床材は、本考案の床構造体Ｂを構築するために用いられるものであり、実施例１の床材Ｐ１は、図１〜図３に示されるように、略長方形状の床材本体２と、床材本体２の裏面側（後説する板体部８および雄実部１２の裏面）に接着剤層４を介して固着されている緩衝材層６と、を有している。
【００５７】
床材本体２は、硬度、風合い等の点からフローリング材に好適とされる木材、例えば、楢（なら）、タモ、チーク、樺（かば）、栗（くり）、ブラックチェリー、ブラックウォールナットにおけるいずれかの木材から切り出された無垢木板材から、切削加工等により、所定形状、所定寸法に形成されており、平面視長方形状（平面視略長方形状としてもよい）の板体部８と、板体部８の一方の短辺部及び一方の長辺部の端面（図２において、床材本体２の右側面側と背面側）に形成された雌実部（めすさねぶ）１０と、板体部８の他方の短辺部及び他方の長辺部の端面（図２において、床材本体２の左側面側と正面側）に形成された雄実部（おすさねぶ）１２と、を有している。また、板体部８の表面（おもてめん）（裏面とは反対側の面）（上面としてもよい）８ａには、ウレタン塗装が施されている。板体部８において、長辺部と短辺部とは直角をなしている。
【００５８】
雌実部１０は、図２（ｂ）（ｄ）（ｅ）（ｆ）に示されるように、床材本体２の端面の下部側が鉤状に切除されて形成され、方形断面の空隙部が、右側面における正面側端から背面の左側面側端まで連続的に、平面視（図２（ａ）を参照）鉤状に形成されている。
【００５９】
一方、雄実部１２は、図２（ｂ）（ｃ）（ｅ）（ｇ）に示されるように、板体部８の端面の下部側に突出形成され、方形断面の突出部が、左側面における雌実部１０を除いた背面側端から、正面における雌実部１０を除いた右側面側端まで連続的に、平面視（図２（ａ）を参照）鉤状に形成されている。
【００６０】
そして、雌実部１０である方形断面で平面視鉤状の空隙部と、雄実部１２である方形断面で平面視鉤状の突出部とは、係合可能な相似形であり、床材を施設する際、床材の雌実部１０に他の床材の雄実部１２が完全に収まって、施設後の床材の表面側の側面が隣接する他の床材の表面側の側面と隙間なく密接し、また、隣接し合う床材の表面の上下レベルがズレなく一致するように、雄実部１２の水平方向突出長および垂直方向厚さは、対応する雌実部１０の水平方向深さおよび垂直方向深さ以下の寸法となっている。
【００６１】
また、板体部８は、厚みｈ１が５．０〜６．５ｍｍであり、後説する長尺の床材では長辺部の長さｈ２が９９８〜１０００ｍｍであり、また短尺の床材では長辺部の長さｈ２が４９８〜５００ｍｍであり、短辺部の長さｈ３は、長尺の床材、短尺の床材ともに式（１）で表される。
【００６２】
（４９８／ｓ）ｍｍ≦ 短辺部の長さｈ３≦（５００／ｓ）ｍｍ・・・式（１）
ここで、ｓは２〜１０の自然数で、後説する床構造体Ｂの床材ユニットＵにおいて、カーペットＴの一辺の長さに相当する間隔に並べられる床材の列数（枚数）であり、下記表１に示すように、ｓを２とした場合、短辺部の長さｈ３は、２４９．０〜２５０．０ｍｍであり、ｓを３とした場合、短辺部の長さｈ３は、１６６．０〜約１６６．７ｍｍであり、ｓを４とした場合、短辺部の長さｈ３は、１２４．５〜１２５．０ｍｍであり、ｓを５とした場合、短辺部の長さｈ３は、９９．６〜１００．０ｍｍであり、ｓを６とした場合、短辺部の長さｈ３は、８３．０〜約８３．３ｍｍであり、ｓを７とした場合、短辺部の長さｈ３は、約７１．１〜約７１．４ｍｍであり、ｓを８とした場合、短辺部の長さｈ３は、約６２．３〜６２．５ｍｍであり、ｓを９とした場合、短辺部の長さｈ３は、約５５．３〜約５５．６ｍｍであり、ｓを１０とした場合、短辺部の長さｈ３は、４９．８〜５０．０ｍｍである。
【００６３】
【表１】
0003188158.tif 000003
【００６４】
なお、上記の寸法に設定することにより、カーペットＴの敷設領域において一部のカーペットＴについてカーペットＴの代わりに上記床材により構成された床材ユニットＵを敷設した場合に、カーペットＴと床材ユニットＵの間に隙間が生じることがないとともに、カーペットＴの縁部を押圧してカーペットＴを損傷させることがなく、さらには、カーペットＴの上面と床材ユニットＵの上面をほぼ平面状とすることができる。詳しくは後述する。
【００６５】
緩衝材層６は、床材本体２の板体部８および雄実部１２の裏面に形成されており、低密度発泡ポリエチレンから成り、当該素材が有する特性により、床材上への落下物の衝突音や足音等の雑音を吸収し、また床下地の不陸（凹凸）に対応し、変形して床材の水平を保持し、更には、落下物等による衝撃を分散して、床材の損壊を防止する。
【００６６】
緩衝材層６の厚みについては、０．８ｍｍ未満では、吸音性、変形性および衝撃分散性が十分に発揮できず、１．２ｍｍ超過では、歩行による荷重を受けた際の変形量が過多で不安定となるため、０．８〜１．２ｍｍの範囲がよい。
【００６７】
なお、緩衝材層６の素材については、ＰＶＣ、ＥＶＡ等でもよく、これらと同等の吸音性、変形性および衝撃分散性を有する合成樹脂弾性体であればよい。また、接着剤層４については、木質の素材と、合成樹脂素材の接着に適したものであればよい。
【００６８】
また、木質素材である床材本体２と接着剤層４との界面、発泡素材である緩衝材層６と接着剤層４との界面では、床材本体２と緩衝材層６が有する微細な開気孔に接着剤が滲入（しんにゅう）して、それぞれ中間層を形成しているため、接着剤層４における床材本体２と緩衝材層６のどちらにも滲入していない部分の厚みは、至極薄いものであり、そのため、接着剤層４の厚みは、床材の厚みにほとんど影響しない。つまり、床材の厚みは、床材本体２（板体部８）の厚みの５．０〜６．５ｍｍと、緩衝材層６の厚みの０．８〜１．２ｍｍの合計であり、５．８〜７．７ｍｍとなる。
【００６９】
つぎに、実施例１の床材Ｐ１の変形例として役物について説明する。なお、以下の床材Ｐ２〜Ｐ４における床材本体２についても、硬度、風合い等の点からフローリング材に好適とされる木材、例えば、楢（なら）、タモ、チーク、樺（かば）、栗（くり）、ブラックチェリー、ブラックウォールナットにおけるいずれかの木材から切り出された無垢木板材により形成されている。
【００７０】
図４に示されるように、第１役物の床材Ｐ２は、上記レギュラー品の床材Ｐ１と同様に、床材本体２と、床材本体２の裏面側に接着剤層４を介して固着されている緩衝材層６と、を有し、床材本体２は、板体部８と、雌実部１０と、雄実部１２と、を有する。
【００７１】
また、雌実部１０は、図４（ａ）（ｂ）（ｄ）（ｅ）（ｆ）に示されるように、床材本体２の右側面の正面側端から右側面の背面側端を経て背面の左側面側端まで連続的に形成され、一方、雄実部１２は、図４（ａ）（ｅ）（ｇ）に示されるように、床材本体２の正面における左側面側端から雌実部１０を除いた右側面側端までに形成されている。つまり、第１役物の床材Ｐ２では、雌実部１０については、床材Ｐ１と同様に、板体部８の一方の短辺部及び一方の長辺部の端面に形成されているが、雄実部１２については、床材Ｐ１と異なり、他方の長辺部の端面だけに形成され、他方の短辺部の端面には雄実部１２が形成されていない。
【００７２】
また、図５に示されるように、第２役物の床材Ｐ３は、雌実部１０については、板体部８の一方の短辺部及び一方の長辺部の端面に形成されているが、雄実部１２については、他方の短辺部の端面（図５において、床材本体２の左側面側）だけに形成され、他方の長辺部の端面には雄実部１２が形成されていない。
【００７３】
また、図６に示されるように、第３役物の床材Ｐ４は、雌実部１０については、板体部８の一方の短辺部及び一方の長辺部の端面に形成されているが、雄実部１２については、他方の短辺部及び他方の長辺部のいずれの端面にも形成されていない。
【００７４】
なお、第１役物の床材Ｐ２、第２役物の床材Ｐ３、及び第３役物の床材Ｐ４の構成は、雄実部１２の有無に関してのみレギュラー品の床材Ｐ１と異なり、雌実部１０等の他の構成については、床材Ｐ１と同一であるため、ここでは詳細な説明を省略する。
【００７５】
また、第１役物の床材Ｐ２、第２役物の床材Ｐ３、及び第３役物の床材Ｐ４においても、板体部８の寸法は、上記Ｐ１の場合と同様の理由により、厚みｈ１が５．０〜６．５ｍｍであり、長辺部の長さｈ２は、９９８〜１０００ｍｍ（長尺の床材の場合）、又は４９８〜５００ｍｍ（短尺の床材の場合）であり、短辺部の長さｈ３は、数式にて（４９８／ｓ）ｍｍ≦ 短辺部の長さｈ３≦（５００／ｓ）ｍｍ（ｓは２〜１０の自然数）として表される長さである。
【００７６】
次に、実施例２の床材について説明する。実施例２の床材Ｐ５は、図７、図８に示されるように、略長方形状の床材本体２と、床材本体２の裏面側に接着剤層４を介して固着されている緩衝材層６と、から構成されている（なお、接着剤層４および緩衝材層６については、実施例１の図３を参照）。
【００７７】
床材本体２は、雌雄の実部がなく、表面側における周縁に外方に向かって低くなるように傾斜した面取り部１４が形成されている。面取り部１４は、上端が床材本体２の水平の表面に連続し、下端は床材本体２の側端面である垂直の縦面１６に連続している。床材本体２の表面（おもてめん）（裏面とは反対側の面）（上面としてもよい）２ａと面取り部１４には、ウレタン塗装が施されている。この床材Ｐ５を施設する際は、図示しないが、隣接する床材Ｐ５の縦面１６同士を当接させて整列配置され、当接している床材Ｐ５の両面取り部１４により、Ｖ字形の溝が形成される。なお、この床材Ｐ５における床材本体２についても、硬度、風合い等の点からフローリング材に好適とされる木材、例えば、楢（なら）、タモ、チーク、樺（かば）、栗（くり）、ブラックチェリー、ブラックウォールナットにおけるいずれかの木材から切り出された無垢木板材により形成されている。
【００７８】
なお、接着剤層４および緩衝材層６については、実施例１と同一であるので、ここでは説明を省略する。また、本実施例の床材Ｐ５は、実部がないので、床材本体２の寸法については、実施例１の床材Ｐ１の板体部８の寸法についての設定と同一である。
【００７９】
つまり、床材本体２の寸法は、厚みｈ１が５．０〜６．５ｍｍであり、長辺部の長さｈ２が、９９８〜１０００ｍｍ（長尺の床材Ｐ５の場合）、又は４９８〜５００ｍｍ（短尺の床材Ｐ５の場合）であり、短辺部の長さｈ３が、数式にて（４９８／ｓ）ｍｍ≦ 短辺部の長さｈ３≦（５００／ｓ）ｍｍ（ｓは２〜１０の自然数）として表される長さである。
【００８０】
つぎに、実施例３の床材について説明する。実施例３の床材Ｑは、床材Ｐ１〜床材Ｐ５が有する構成については、全て共通し、これに加え、図９（実施例３の床材Ｑの要部拡大断面図）に示されるように、緩衝材層６の裏面に粘着剤層１８が形成され、粘着剤層１８の裏面は剥離シート２０により被覆されている。なお、粘着剤層１８は、緩衝材層６の裏面の全面に設けられており、剥離シート２０は、粘着剤層１８の全面に設けられている。この粘着剤層１８は、例えば、アクリル系粘着剤を使用して層状に粘着加工したものである。
【００８１】
床材Ｑを施設する際には、図１０に示されるように、剥離シート２０を剥がし、粘着剤層１８を露出させて、粘着剤層１８により、施設対象に接着する。この粘着剤層１８は、接着と剥離を繰り返し可能な程度の適度な接着強度と、その接着強度を長期間維持する耐久性とを有する。
【００８２】
本実施例の床材Ｑによれば、施設時に別途接着剤を準備する必要がなく、手間が省け、また接着と剥離の繰り返しが可能であるため、仮に接着を失敗しても、やり直しができ、施工業者でない一般人であっても、気軽に利用して、日曜大工等により自分自身で下記の床構造体Ｂを構築することができる。
【００８３】
つぎに、本考案の床材を用いて構築される床構造体について説明する。図１１〜図１４に示されるように、本考案の床構造体Ｂは、複数枚の床材が整列配置されて形成された床材ユニットＵで、床下地Ｇ上に施設された床材ユニットＵと、床下地Ｇ上における床材ユニットＵの施設領域以外に施設されたカーペットＴと、から構成されている。
【００８４】
カーペットＴは、従来よりＯＡフロアー等で使用されている既存のタイル形状のものであり、一辺の寸法が約５００ｍｍの略正方形状で、厚みが約６ｍｍであり、床下地Ｇ上に格子状に整列配置されるとともに、粘着剤層２２を介して床下地Ｇ上に剥離可能に固定されている。
【００８５】
以下、床構造体について、実施例に基づき更に説明する。まず、実施例１の床構造体について説明する。図１１は実施例１の床構造体の平面図であり、図１２は図１１のＣ−Ｃ断面要部拡大図である。図１１、図１２に示されるように、実施例１の床構造体Ｂは、床材を一方向（床材の短手方向）（Ｙ１−Ｙ２方向）のみに整列配置することにより、方形状に形成された床材ユニットＵと、床材ユニットＵの周囲を囲繞するカーペットＴと、から構成されている。
【００８６】
床材ユニットＵは、床材の長辺部に他の床材の長辺部が隣接し、長辺部が互いに隣接し合っている床材の短辺部が同一線上に位置揃えされており、床材の短手方向のみに５枚の床材Ｐａ〜Ｐｅが整列され、背面側（Y２側）から数えて４列目までの４枚の床材Ｐａ〜Ｐｄは、左側面側に雄実部１２が形成されておらず、正面側のみに雄実部１２を有する第１役物の床材Ｐ２である。また、正面側の１枚の床材Ｐｅは、左側面側及び正面側に雄実部１２が形成されていない第３役物の床材Ｐ４である。
【００８７】
また、この床材ユニットＵは、既設のカーペット敷床から２枚のカーペットＴを剥ぎ取ることにより床下地Ｇ上に形成した、長辺が約１０００ｍｍ、短辺が約５００ｍｍ、深さが約６ｍｍの凹部内に収納され、粘着剤層１８により、床下地Ｇ上に固着されている。
【００８８】
床材ユニットＵは、上記のように、５枚の床材で形成され、各床材の雄実部１２は雌実部１０に係合され、雄実部１２は雌実部１０内に完全に収まっており、床材の板体部８の側面と、他の床材の板体部８の側面とが当接し合っており、また役物を使用することにより、雌実部１０に係合しない雄実部１２はないのだから、５枚の板体部８により形成される長方形の寸法は、長辺側が９９８〜１０００ｍｍであり、短辺側が４９８〜５００ｍｍとなっている。つまり、短辺側については、床材Ｐａ〜Ｐｅの板体部８の短辺部の長さが、９９．６〜１００．０ｍｍであるので、５枚分の長さとしては、４９８〜５００ｍｍとなる。
【００８９】
つまり、床材ユニットＵにおいて、床材Ｐａ〜Ｐｄの位置は、床材の雌実部形成側とは反対側の短辺部が他の床材に隣接しない（つまり、カーペットＴに隣接する）とともに雌実部形成側とは反対側の長辺部が他の床材に隣接する位置であるので、床材Ｐａ〜Ｐｄは床材Ｐ２とし、床材Ｐｅの位置は、床材の雌実部形成側とは反対側の短辺部及び雌実部形成側とは反対側の長辺部が他の床材に隣接しない位置であるので、床材Ｐｅは床材Ｐ４とする。
【００９０】
よって、床材ユニットＵにより形成される長方形状の寸法は、長辺側が９９８〜１０００ｍｍであり、短辺側が４９８〜５００ｍｍであるので、２枚のカーペットＴを剥がすことにより設けられた凹部内に床材ユニットＵを配置した場合に、カーペットＴと床材ユニットＵの間に隙間が生じることがないとともに、カーペットＴの縁部を押圧してカーペットＴを損傷させることがない。つまり、床材ユニットＵの長辺の長さが９９８ｍｍ未満の場合、カーペットＴと床材ユニットＵの間に隙間が空き、この隙間に埃や水分が容易に侵入し、外観上も好ましくなく、また、床材ユニットＵの長辺の長さが１０００ｍｍ超過の場合は、床材により周囲のカーペットＴが押圧されて痛めてしまうことから、床材ユニットＵの長辺の長さは、９９８ｍｍ〜１０００ｍｍの範囲とする必要がある。
【００９１】
また、床材ユニットＵの厚みは、５．８〜７．７ｍｍであるので、カーペットＴの上面と床材ユニットＵの上面をほぼ平面状とすることができ、歩行に際して障害となることがない。つまり、床材ユニットＵの厚みが５．８ｍｍ未満の場合、床構造体Ｂにおける床材ユニットＵが周囲のカーペットＴより低く当該部分が凹みとなり、７．７ｍｍ超過の場合、床材ユニットＵが周囲から突出し、いずれの場合も、つまずく等して歩行の障害となり、危険であるが、床材ユニットＵの厚みを５．８〜７．７ｍｍとすることによりそのような問題がない。
【００９２】
なお、図１１に示す床材ユニットＵの図１１における右隣（Ｘ２側）に隣接してさらに５枚の床材からなる他の床材ユニットＵを設ける場合には、４枚の床材Ｐ１と１枚の床材Ｐ３により他の床材ユニットＵを構成すればよい。つまり、床材ユニットＵにおける床材Ｐａ〜Ｐｄに隣接する床材は、短辺側及び長辺側ともに雄実部１２を有した床材Ｐ１を用い、床材Ｐｅに隣接する床材は、短辺側のみに雄実部１２を有した床材Ｐ３を用いればよい。なお、図１１に示す床材ユニットＵの右側（Ｘ２側）に隣接してさらに５枚の床材からなる床材ユニットＵを設ける場合には、当然その領域のカーペットＴを剥がして敷設することになる。
【００９３】
この場合、新たに敷設する床材ユニットＵにおいて、床材Ｐａ〜Ｐｄの右隣の位置は、床材の雌実部形成側とは反対側の短辺部及び雌実部形成側とは反対側の長辺部が他の床材に隣接する位置であるので、床材Ｐａ〜Ｐｄの右隣の位置の床材は、床材Ｐ１とし、床材Ｐｅの右隣の位置は、床材の雌実部形成側とは反対側の長辺部が他の床材に隣接しないとともに雌実部形成側とは反対側の短辺部が他の床材と隣接する位置であるので、床材Ｐｅの右隣の位置の床材は、床材Ｐ３とする。
【００９４】
また、図１１に示す床材ユニットＵの図１１における正面側（Ｙ１側）に隣接してさらに５枚の床材からなる床材ユニットを設ける場合には、床材Ｐｅを床材Ｐ２とし、床材Ｐｅから正面側に順に床材４つの床材Ｐ２を敷設し、追加で敷設する床材ユニットにおける最も正面側の床材は、床材Ｐ４を用いればよい。なお、図１１に示す床材ユニットＵの正面側（Ｙ１側）に隣接してさらに５枚の床材からなる床材ユニットＵを設ける場合には、当然その領域のカーペットＴを剥がして敷設することになる。
【００９５】
つまり、この場合、床材Ｐｅの位置と床材Ｐｅから正面側に順に設けられる４つの床材の位置は、床材の雌実部形成側とは反対側の短辺部が他の床材に隣接しないとともに雌実部形成側とは反対側の長辺部が他の床材に隣接する位置となるので、床材Ｐｅは床材Ｐ２とし、追加で敷設する床材ユニットＵにおける最も正面側の床材の位置は、床材の雌実部形成側とは反対側の短辺部及び雌実部形成側とは反対側の長辺部が他の床材に隣接しない位置であるので、床材Ｐ４を用いる。
【００９６】
また、図１１の場合とは異なり１枚のみのカーペットＴの領域に床材を敷設する場合には、板体部８の長辺部の長さが４９８〜５００ｍｍの床材を用い、４つの床材Ｐ２と１つの床材Ｐ４を用いる。つまり、４つの床材Ｐ２の位置は、床材の雌実部形成側とは反対側の短辺部が他の床材に隣接しないとともに雌実部形成側とは反対側の長辺部が他の床材に隣接する位置であり、１つの床材Ｐ４の位置は、床材の雌実部形成側とは反対側の短辺部及び雌実部形成側とは反対側の長辺部が他の床材に隣接しない位置となる。
【００９７】
なお、上記の説明では、５枚の床材により床材ユニットＵの短辺側の長さを４９８〜５００ｍｍとするので、各床材の板体部８の短辺部の長さは９９．６〜１００．０ｍｍであるが、床材ユニットＵを構成する床材の枚数をｓ（ｓは１以上の自然数）とした場合には、床材の短辺部の長さは、（４９８／ｓ）ｍｍ≦短辺部の長さｈ３≦（５００／ｓ）ｍｍの式で表される長さとなる。また、敷設時の作業性、施設後の外観等の理由から、ｓは、２〜１０枚の範囲がよい。結果として、ｓは、２〜１０の自然数となり、床材ユニットＵを構成する床材の枚数と１つの床材の板体部８の短辺部の長さｈ３は、表１に示すとおりとなる。
【００９８】
以上のようにして、床材の雌実部形成側とは反対側の短辺部が他の床材に隣接しないとともに雌実部形成側とは反対側の長辺部が他の床材に隣接する位置には、床材Ｐ２を配置し、床材の雌実部形成側とは反対側の長辺部が他の床材に隣接しないとともに雌実部形成側とは反対側の短辺部が他の床材に隣接する位置には、床材Ｐ３を配置し、床材の雌実部形成側とは反対側の短辺部及び雌実部形成側とは反対側の長辺部が他の床材に隣接しない位置には、床材Ｐ４を配置し、床材の雌実部形成側とは反対側の短辺部及び雌実部形成側とは反対側の長辺部が他の床材に隣接する位置には、床材Ｐ１を配置する。
【００９９】
なお、上記の説明では、床材ユニットＵを構成する床材として床材Ｐ１〜Ｐ４を用いる場合について説明したが、床材本体２に雌雄の実部がない床材Ｐ５においては、床材Ｐ５を並べて敷設する。
【０１００】
その場合、床材本体２における床材本体２の短辺部の長さと床材の数の関係は、上記と同様に、表１に示すようになる。
【０１０１】
なお、床材ユニットＵの敷設方法としては、すでにカーペットＴが敷設されている状態で、その一部のカーペット敷設領域に床材ユニットＵを敷設する場合には、床材ユニットＵを敷設する領域のカーペットＴを剥がして床材ユニットＵを敷設する。なお、通常カーペットＴが敷設されている状態では、通常カーペットＴと床下地Ｇとの間に弱粘着性の接着剤（再剥離可能な接着剤）による接着剤層２２が設けられているので、カーペットＴを剥がせば床下地Ｇの上に接着剤が残っているので、床材ユニットＵをそのまま床下地Ｇ上に載置するのみで接着剤を利用して敷設することができる。
【０１０２】
また、すでにカーペットＴが敷設されている状態からカーペットＴを剥がすのではなく、カーペットＴが敷設されていない床下地Ｇ上にカーペットＴと床材とを敷設する場合には、カーペットＴと床下地Ｇ間にすでに設けられている弱粘着性の接着剤による接着剤層２２を利用することができないので、緩衝材層６の裏面に粘着剤層１８と剥離シート２０を有する床材を用いる。なお、床材ユニットＵを敷設する領域のカーペットＴを剥がして床材ユニットＵを敷設する場合でも、緩衝材層６の裏面に粘着剤層１８と剥離シート２０を有する床材を用いることにより、既設の弱粘着性の接着剤による接着剤層２２と粘着剤層１８により床材ユニットを床下地Ｇに強く固定することができる。なお、カーペットＴと床下地Ｇとの間の弱粘着性の接着剤による接着剤層２２のみにより敷設する場合には、接着性が弱いおそれがあるので、該接着剤層２２がある場合でも、粘着剤層１８を設けた床材を用いるのが好ましい。
【０１０３】
つぎに、実施例２の床構造体について説明する。図１３は実施例２の床構造体の平面図である。図１３に示されるように、実施例２の床構造体Ｂは、床材が千鳥配置されることにより、方形状に形成された床材ユニットＵと、床材ユニットＵの周囲を囲繞するカーペットＴと、から構成されている。
【０１０４】
床材ユニットＵは、長辺部の長さｈ２が９９８〜１０００ｍｍである長尺の床材と、長辺部の長さｈ２が長尺の床材の約半分の４９８〜５００ｍｍである短尺の床材と、が混在し、２枚の短尺の床材が、その短辺部を互いに隣接させ、長辺部を同一線上に位置揃えして、床材の長軸方向（図１３において、Ｘ１−Ｘ２方向）に整列している列と、１枚の長尺の床材による列とが、床材ユニットＵの背面側（Y２側）から順に交互に割り当てられ、５列が形成され、各列の床材の長辺部に他の列の床材の長辺部が隣接している。
【０１０５】
また、短尺の床材の短辺部で、床材ユニットＵの中央側で互いに隣接し合っている短辺部は、他列の長尺の床材の長辺部中央において長辺部と直角（略直角としてもよい）をなしており、また短尺の床材の短辺部で、床材ユニットＵの最外縁部に位置する短辺部と、長尺の床材の短辺部とは、同一線上に位置揃えされている。
【０１０６】
このように、実施例２の床構造体Ｂは、床材が千鳥配置されているが、板体部８の長辺部及び短辺部に雄実部１２を有する床材Ｐ１、長辺部側のみに雄実部１２を有する第１役物の床材Ｐ２、短辺部側のみに雄実部１２を有する第２役物の床材Ｐ３、長辺部及び短辺部のどちらにも雄実部１２が形成されていない第３役物の床材Ｐ４の配置方法については、実施例１の床構造体Ｂと同じであり、床材の雌実部形成側とは反対側の短辺部が他の床材に隣接しないとともに雌実部形成側とは反対側の長辺部が他の床材に隣接する位置（第１位置）には、床材Ｐ２を配置し、床材の雌実部形成側とは反対側の長辺部が他の床材に隣接しないとともに雌実部形成側とは反対側の短辺部が他の床材に隣接する位置（第２位置）には、床材Ｐ３を配置し、床材の雌実部形成側とは反対側の短辺部及び雌実部形成側とは反対側の長辺部が他の床材に隣接しない位置（第３位置）には、床材Ｐ４を配置し、床材の雌実部形成側とは反対側の短辺部及び雌実部形成側とは反対側の長辺部が他の床材と隣接する位置（第４位置）には、床材Ｐ１を配置する。
【０１０７】
つまり、実施例２の床構造体Ｂにおいて、床材ユニットＵの背面側（Y２側）から１列目で右側（Ｘ２側）の位置は、床材の雌実部形成側とは反対側の短辺部及び雌実部形成側とは反対側の長辺部が他の床材に隣接する位置であるから、この位置に配置された床材Ｐｆは、左側面側と正面側に雄実部１２を有する短尺の床材Ｐ１であり、床材Ｐｆの左側（Ｘ１側）の位置は、床材の雌実部形成側とは反対側の短辺部が他の床材に隣接しないとともに雌実部形成側とは反対側の長辺部が他の床材に隣接する位置であるから、この位置に配置された床材Ｐｇは、左側面側に雄実部１２が形成されておらず、正面側のみに雄実部１２を有する短尺の第１役物の床材Ｐ２である。
【０１０８】
また、床材ユニットＵの背面側から２列目の位置は、床材の雌実部形成側とは反対側の短辺部が他の床材に隣接しないとともに雌実部形成側とは反対側の長辺部が他の床材に隣接する位置であるから、この位置に配置された床材Ｐｈは、左側面側に雄実部１２が形成されておらず、正面側のみに雄実部１２を有する長尺の第１役物の床材Ｐ２である。
【０１０９】
また、床材ユニットＵの背面側から３列目で右側の位置は、床材の雌実部形成側とは反対側の短辺部及び雌実部形成側とは反対側の長辺部が他の床材に隣接する位置であるから、この位置に配置された床材Ｐｉは、左側面側と正面側に雄実部１２を有する短尺の床材Ｐ１であり、床材Ｐｉの左側の位置は、床材の雌実部形成側とは反対側の短辺部が他の床材に隣接しないとともに雌実部形成側とは反対側の長辺部が他の床材に隣接する位置であるから、この位置に配置された床材Ｐｊは、左側面側に雄実部１２が形成されておらず、正面側のみに雄実部１２を有する短尺の第１役物の床材Ｐ２である。
【０１１０】
また、床材ユニットＵの背面側から４列目面の位置は、床材の雌実部形成側とは反対側の短辺部が他の床材に隣接しないとともに雌実部形成側とは反対側の長辺部が他の床材と隣接する位置であるから、この位置に配置された床材Ｐｋは、左側面側に雄実部１２が形成されておらず、正面側のみに雄実部１２を有する長尺の第１役物の床材Ｐ２である。
【０１１１】
また、床材ユニットＵの正面側（Y１側）から１列目で右側の位置は、床材の雌実部形成側とは反対側の長辺部が他の床材に隣接しないとともに雌実部形成側とは反対側の短辺部が他の床材に隣接する位置であるから、この位置に配置された床材Ｐｍは、正面側に雄実部１２が形成されておらず、左側面側だけに雄実部１２を有する短尺の第２役物の床材Ｐ３であり、床材Ｐｍの左側の位置は、床材の雌実部形成側とは反対側の短辺部及び雌実部形成側とは反対側の長辺部が他の床材に隣接しない位置であるから、この位置に配置された床材Ｐｎは、左側面側及び正面側ともに雄実部１２が形成されていない短尺の第３役物の床材Ｐ４である。
【０１１２】
また、図１３における床材ユニットＵの右隣（Ｘ２側）のカーペットＴを床下地Ｇから剥がして、カーペットＴが３枚分の領域に床材ユニットＵを施設する場合には、背面側（Y２側）から１列目で右側（Ｘ２側）の床材Ｐｆを短尺の床材Ｐ１から長尺の床材Ｐ１に変更し、背面側から２列目の床材Ｐｈの右隣に短尺の床材Ｐ１を施設し、背面側から３列目で右側の床材Ｐｉを短尺の床材Ｐ１から長尺の床材Ｐ１に変更し、背面側から４列目面の床材Ｐｋの右隣に短尺の床材Ｐ１を施設し、正面側（Y１側）から１列目で右側の床材Ｐｍを短尺の床材Ｐ３から長尺の床材Ｐ３へと変更する。
【０１１３】
つまり、図１３における床材ユニットＵの右隣（Ｘ２側）のカーペットＴを床下地Ｇから剥がして、カーペットＴが３枚分の領域に床材を施設した床材ユニットＵにおける右側で背面側から１列目、２列目、３列目、４列目の位置は、床材の雌実部形成側とは反対側の短辺部及び雌実部形成側とは反対側の長辺部が他の床材に隣接する位置であるので、この位置には、床材Ｐ１を配置し、正面側から１列目の位置は、床材の雌実部形成側とは反対側の長辺部が他の床材に隣接しないとともに雌実部形成側とは反対側の短辺部が他の床材に隣接する位置であるので、床材Ｐ３を配置する。
【０１１４】
また、さらに図１３における床材ユニットＵの左隣（Ｘ１側）のカーペットＴを床下地Ｇから剥がして、カーペットＴが４枚分の領域に床材ユニットＵを施設する場合には、床材ユニットＵの背面側（Y２側）から１列目で左側（Ｘ１側）の床材Ｐｇを短尺の床材Ｐ２から長尺の床材Ｐ２に変更し、背面側から２列目の床材Ｐｈを長尺の床材Ｐ２から長尺の床材Ｐ１に変更し、その左隣に短尺の床材Ｐ２を施設し、背面側から３列目で左側の床材Ｐｊを短尺の床材Ｐ２から長尺の床材Ｐ２に変更し、背面側から４列目面の床材Ｐｋの左隣に、短尺の床材Ｐ２を設け、正面側（Y１側）から１列目で左側の床材Ｐｎを短尺の床材Ｐ４から長尺の床材Ｐ４へと変更する。
【０１１５】
つまり、図１３における床材ユニットＵの左隣（Ｘ１側）のカーペットＴを床下地Ｇから剥がして、カーペットＴが４枚分の領域に床材を施設した床材ユニットＵにおける左側で背面側から１列目、２列目、３列目、４列目の位置は、床材の雌実部形成側とは反対側の短辺部が他の床材に隣接しないとともに雌実部形成側とは反対側の長辺部が他の床材と隣接する位置であるので、この位置には、床材Ｐ２を配置し、正面側から１列目の位置は、床材の雌実部形成側とは反対側の短辺部及び雌実部形成側とは反対側の長辺部が他の床材に隣接しない位置であるので、床材Ｐ４を配置する。
【０１１６】
また、図１３における床材ユニットＵの２列目、４列目の位置は、その左隣に他の床材を配置することにより、他の床材との相対関係が変化し、床材の雌実部形成側とは反対側の短辺部及び雌実部形成側とは反対側の長辺部が他の床材と隣接する位置となるので、床材Ｐ２から床材Ｐ１へと変更する。
【０１１７】
つぎに、実施例３の床構造体Ｂについて説明する。図１４は実施例３の床構造体Ｂの平面図である。図１４に示されるように、実施例３の床構造体Ｂは、床材が千鳥配置されて形成された床材ユニットＵと、床材ユニットＵに隣接配置されているカーペットＴとから構成されている。
【０１１８】
床材ユニットＵは、廊下の片側の端に通路状に形成され、幅方向（図１４において、Ｙ１−Ｙ２方向）の長さが約１０００ｍｍ（カーペットＴが２枚分の長さ）で、人が歩行可能な程度の長さの幅を有し、廊下中央側（Ｙ１側）の端部がカーペットＴに隣接し、反対側（Ｙ２側）の端部が廊下の壁Ｗに隣接しており、この位置では、床材の雌実部形成側の長辺部が壁Ｗに隣接している。
【０１１９】
また、床材がその長軸方向及び短手方向に整列し、短辺部が互いに隣接し合っている床材の長辺部が同一線上に位置揃えされており、また、床材の短辺部で、床材ユニットＵの最外縁部となる短辺部（後説する）を除いて、長辺部が互いに隣接し合っている床材の一方の床材の短辺部が他方の床材の長辺部の中央において長辺部と直角（略直角としてもよい）をなしており、他方の床材の短辺部が一方の床材の長辺部の中央ににおいて長辺部と直角（略直角としてもよい）をなしている。
【０１２０】
また、図１４中には示されていないが、床材ユニットＵによる通路の終始端部（Ｘ１側の端部及びＸ２側の端部）であり、床材の短辺部が床材ユニットＵの最外縁部となる床材については、長尺の床材と、短尺の床材とが床材の短手方向に交互に配置されることにより、図１３（実施例２の床構造体の平面図）に示された床材ユニットＵのように、床材の短辺部で、床材ユニットＵの最外縁部となる短辺部が同一線上に位置揃えされている。
【０１２１】
この通路状の床材ユニットＵにおいて、廊下中央側（Ｙ１側）から１列目の位置は、床材の雌実部形成側とは反対側の長辺部が他の床材に隣接しないとともに雌実部形成側とは反対側の短辺部が他の床材に隣接する位置であるので、この位置には、短辺部側のみに雄実部１２を有する第２役物の床材Ｐ３が配置され、図１４中のその他の位置は、床材の雌実部形成側とは反対側の短辺部及び雌実部形成側とは反対側の長辺部が他の床材に隣接する位置であるので、この位置には、長辺部側及び短辺部側に雄実部１２を有する床材Ｐ１が配置されている。
【０１２２】
また、図１４において、床材の短辺部が床材ユニットの最外縁部とならない床材（例えば、図１４に示す床材Ｐｚ）については、長尺の床材が配置されている。
【０１２３】
なお、床材ユニットＵによる通路の終始端部（Ｘ１側の端部及びＸ２側の端部）である床材ユニットＵの最外縁部は、カーペットＴに隣接する場合の他、壁やドア枠下部材等のカーペットＴ以外のものに隣接する場合もあり得るが、カーペットＴ以外のものに隣接する場合もカーペットＴに隣接する場合と同様の方法で床材を配置する。
【０１２４】
つまり、Ｘ１側の端部位置は、最外縁部が床材の雌実部形成側とは反対側の短辺部であり、壁Ｗ側が雌実部形成側の長辺部であるので、Ｘ１側の端部位置におけるカーペットＴから１列目の位置は、床材の雌実部形成側とは反対側の短辺部及び雌実部形成側とは反対側の長辺部が他の床材に隣接しない位置であるので、この位置には、床材Ｐ４を配置し、Ｘ１側の端部位置におけるカーペットＴ側の２列目から壁Ｗ側までの位置は、床材の雌実部形成側とは反対側の短辺部が他の床材に隣接しないとともに雌実部形成側とは反対側の長辺部が他の床材と隣接する位置であるので、この位置には、床材Ｐ２を配置する。
【０１２５】
また、Ｘ２側の端部位置は、最外縁部が床材の雌実部形成側の短辺部であり、壁Ｗ側が雌実部形成側の長辺部であるので、Ｘ２側の端部位置におけるカーペットＴから１列目の位置は、床材の雌実部形成側とは反対側の長辺部が他の床材に隣接しないとともに雌実部形成側とは反対側の短辺部が他の床材に隣接する位置であるので、この位置には、床材Ｐ３を配置し、Ｘ２側の端部位置におけるカーペットＴ側の２列目から〜壁Ｗ側までの位置は、床材の雌実部形成側とは反対側の短辺部及び雌実部形成側とは反対側の長辺部が他の床材に隣接する位置であるので、この位置には、床材Ｐ１を配置する。
【０１２６】
なお、実施例２及び実施例３における床材は、実施例１の床構造体Ｂの床材と共通のものであるから、実施例１の床構造体Ｂの場合と同様、実施例２及び実施例３の床材ユニットＵにおいても、各床材の雄実部１２は雌実部１０に係合され、雄実部１２は雌実部１０内に完全に収まっており、床材の板体部８の側面と、他の床材の板体部８の側面とが当接し合っており、また役物を使用することにより、雌実部１０に係合しない雄実部１２はないのだから、床材ユニットＵの寸法は、床材の板体部８により形成される長方形の寸法である。
【０１２７】
ここで、床材の板体部８は、長辺部の長さｈ２が９９８〜１０００ｍｍ（長尺の床材の場合）、又は４９８〜５００ｍｍ（短尺の床材の場合）であり、短辺部の長さｈ３が数式にて（４９８／ｓ）ｍｍ≦ 短辺部の長さｈ３≦（５００／ｓ）ｍｍ（ｓは２〜１０の自然数であり、床材ユニットＵにおいて、カーペットＴの１辺分の間隔に並べられる床材の列数（枚数））、として表わされる長さであり、このように床材の板体部８の寸法が規定されていることから、床材の配置方法が相違しても、またカーペットＴの一辺の長さに相当する間隔に並べられる床材の列数を変更したとしても、既設のカーペット敷床から２枚のカーペットＴを剥ぎ取ることにより床下地Ｇ上に形成した凹部内に配置される長方形状の床材ユニットＵの長辺の長さ及び短辺の長さは不変である。
【０１２８】
よって、実施例２及び実施例３の床材ユニットＵを配置するに際し、上記実施例１の場合と同様の理由により、カーペットＴと床材ユニットＵの間に隙間が生じることがないとともに、カーペットＴの縁部を押圧してカーペットＴを損傷させることがない。
【０１２９】
また、厚みについても、板体部８の厚みが５．０〜６．５ｍｍであり、緩衝材層６の厚みが０．８〜１．２ｍｍであるので、床材ユニットＵの厚みは、５．８〜７．７ｍｍで不変なので、実施例２及び実施例３の床構造体Ｂは、カーペットＴの上面と床材ユニットＵの上面をほぼ平面状とすることができ、歩行に際して障害となることがない。
【０１３０】
また、実施例３の床構造体Ｂでは、通路幅方向（Ｙ１−Ｙ２方向）に１０枚（カーペットＴの１辺の長さに相当する間隔に５枚）の床材を配置しているが、例えば、通路幅方向に８枚（カーペットＴの１辺の長さに相当する間隔に４枚）の床材を配置する場合は、短辺部の長さｈ３が１２４．５〜１２５．０ｍｍの床材を使用し、また、通路幅方向に１２枚（カーペットＴの１辺の長さに相当する間隔に６枚）の床材を配置する場合は、短辺部の長さｈ３が８３．０〜約８３．３ｍｍの床材を使用すればよく、このように、本考案の床材によれば、通路幅方向の床材の列数を変更しても、床材ユニットＵの寸法は変わらず、カーペットＴの施設領域に木質の床材で形成された床材ユニットＵによる領域を不具合なく設けることができる。
【０１３１】
なお、実施例２及び実施例３の床構造体Ｂにおいて、床材Ｐ５を用いる場合は、雌雄の実部がないので、床材の配置について、雄実部の有無による床材の使い分けの必要はないが、長尺の床材と、短尺の床材との使い分け方については、床材Ｐ１〜Ｐ４を用いる場合と同じであり、床材ユニットＵの最外縁部となる短辺部を有する床材が配置される位置では、長尺の床材と、短尺の床材とを床材の短手方向に交互に配置することにより、床材ユニットＵの最外縁部となる短辺部を同一線上に位置揃えする。また、床材本体２の短辺部の長さと床材の数の関係は、表１に示すようになる。
【０１３２】
また、床材ユニットＵの敷設方法については、実施例１の場合と同じであり、すでにカーペットＴが敷設されている領域から、床材ユニットＵを敷設する領域のカーペットＴを剥がして床材ユニットＵを敷設する場合は、カーペットＴを剥がした後の床下地Ｇ上に残っている接着剤を利用して床材ユニットＵを敷設すればよいが、緩衝材層６の裏面に粘着剤層１８と剥離シート２０を有する床材Ｑを用いることにより、床下地Ｇ上に残っている接着剤と粘着剤層１８により床材ユニットＵを床下地Ｇに強く固定することができる。
【０１３３】
また、カーペットＴが敷設されていない床下地ＧにカーペットＴと床材とを敷設する場合には、緩衝材層６の裏面に粘着剤層１８と剥離シート２０を有する床材Ｑを用いる。
【０１３４】
以上のように、本考案に基づく床材は、既存のタイルカーペットに適合できるように床材の寸法設定がなされていることから、既設のカーペット敷床の一部分から、カーペットＴを剥ぎ取り、空いたスペースに床材を施設することにより、既設のカーペット敷床を改装して、床材で形成された床材ユニットＵによるフローリング領域とカーペットＴによる領域とが混在する床構造体Ｂを容易に構築することができ、この床構造体Ｂは、両領域の境界での段差が抑えられていることから、人の歩行やキャスター付き器物の移動の障害とならず、安全性が高い。勿論、建築物の新設当初から、床材と、カーペットＴを組み合わせて床構造体Ｂを構築してもよい。
【０１３５】
また、フローリング領域のレイアウトを工夫することにより、独創的なインテリアを創作することができ、例えば、床構造体Ｂをカーペット敷きのＯＡフロアーにおける机下周辺部に構築することにより、椅子移動による机下周辺部の損耗を防止できるだけでなく、椅子移動が容易となり、また机下周辺部から部屋の入出口等の他の場所まで通路状にこの床構造体を構築することにより、車椅子による要所への移動が容易となり、車椅子を使用する就業者の負担を軽減することができる。
【０１３６】
また、カーペット敷きの廊下において、片側の端に通路として帯状にフローリング領域を設けることにより、荷役用の手押し台車、車椅子等の車輪による移動体は、フローリングによる領域を通行して、スムーズな移動が可能となり、カーペット敷きの領域を残すことにより、歩行者はノンスリップ性等のカーペットによる利点を享受できる。
【０１３７】
また、フローリングによる領域を車椅子利用のハンディキャップ者優先とすれば、ハンディキャップ者の精神的負担の軽減、健常者およびハンディキャップ者の双方の利便性の向上、安全性の確保を図ることができる。
【０１３８】
このように、フローリング領域とカーペット領域とを同一床面内に混在させることにより、フローリングとカーペットの両方の利点を生かすことができるとともに、バリアフリーデザインを導入して、ハンディキャップ者に優しい社会の具現化に貢献することができる。
【符号の説明】
【０１３９】
２  床材本体
４、２２  接着剤層
６  緩衝材層
８  板体部
１０  雌実部
１２  雄実部
１４  面取り部
１６  縦面
１８  粘着剤層
２０  剥離シート
Ｂ  床構造体
Ｐ１、Ｐ２、Ｐ３、Ｐ４、Ｐ５、Ｑ  床材
Ｐａ、Ｐｂ、Ｐｃ、Ｐｄ、Ｐｅ  床材
Ｐｆ、Ｐｇ、Ｐｈ、Ｐｉ、Ｐｊ、Ｐｋ、Ｐｍ、Ｐｎ  床材
Ｔ  カーペット
Ｇ  床下地
Ｕ  床材ユニット
Ｗ  壁
【図１】
0003188158.tif 000004
【図２】
0003188158.tif 000005
【図３】
0003188158.tif 000006
【図４】
0003188158.tif 000007
【図５】
0003188158.tif 000008
【図６】
0003188158.tif 000009
【図７】
0003188158.tif 000010
【図８】
0003188158.tif 000011
【図９】
0003188158.tif 000012
【図１０】
0003188158.tif 000013
【図１１】
0003188158.tif 000014
【図１２】
0003188158.tif 000015
【図１３】
0003188158.tif 000016
【図１４】
0003188158.tif 000017